(57)【要約】本発明は、健康データ表示方法、装置、プログラム、及び記録媒体に関し、データ表示分野に属する。当該方法は、ユーザの健康データを収集するステップと、家庭用メディアプレーヤデバイスとの無線接続を確立するステップと、無線接続を用いて、家庭用メディアプレーヤデバイスに健康データを送信するステップとを含む。当該装置は、データ収集モジュール、接続確立モジュール、及びデータ送信モジュールを備える。本発明によると、ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。【選択図】図２
2016533582.tif 000002
【特許請求の範囲】
【請求項１】
ウェアラブルデバイスに用いられる健康データ表示方法であって、
ユーザの健康データを収集するステップと、
家庭用メディアプレーヤデバイスとの無線接続を確立するステップと、
前記無線接続を用いて、前記健康データを受信して表示するための前記家庭用メディアプレーヤデバイスに、前記健康データを送信するステップと
を含むことを特徴とする健康データ表示方法。
【請求項２】
前記家庭用メディアプレーヤデバイスとの無線接続を確立するステップは、
前記家庭用メディアプレーヤデバイスとの無線接続をダイレクトに確立するステップ、
或は、
バインディングされた移動端末を利用して、前記家庭用メディアプレーヤデバイスとの無線接続を確立するステップ
を含むことを特徴とする請求項１に記載の健康データ表示方法。
【請求項３】
起動トリガ条件を満たすか否かを検出するステップと、
前記起動トリガ条件を満たす場合、起動命令が受信された後に運行状態に入る前記家庭用メディアプレーヤデバイスに、起動命令を送信するステップと
を、さらに含み、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む
ことを特徴とする請求項１に記載の健康データ表示方法。
【請求項４】
シャットダウントリガ条件を満たすか否かを検出するステップと、
前記シャットダウントリガ条件を満たす場合、シャットダウン命令が受信された後に休止状態、或は、シャットダウン状態に入る前記家庭用メディアプレーヤデバイスに、前記シャットダウン命令を送信するステップと
を、さらに含み、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む
ことを特徴とする請求項１に記載の健康データ表示方法。
【請求項５】
前記家庭用メディアプレーヤデバイスとのバインディング関係を予め確立するステップ
をさらに含むことを特徴とする請求項１乃至４のいずれか１項に記載の健康データ表示方法。
【請求項６】
前記家庭用メディアプレーヤデバイスとのバインディング関係を予め確立するステップは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ
を含むことを特徴とする請求項５に記載の健康データ表示方法。
【請求項７】
家庭用メディアプレーヤデバイスに用いられる健康データ表示方法であって、
ウェアラブルデバイスとの無線接続を確立するステップと、
前記無線接続を用いて、前記ウェアラブルデバイスが送信したユーザの健康データを受信するステップと、
前記健康データを表示するステップと
を含むことを特徴とする健康データ表示方法。
【請求項８】
前記ウェアラブルデバイスとの無線接続を確立するステップは、
前記ウェアラブルデバイスとの無線接続をダイレクトに確立するステップ、
或は、
前記ウェアラブルデバイスとバインディングされた移動端末を利用して、前記ウェアラブルデバイスとの無線接続を確立するステップ
を含むことを特徴とする請求項７に記載の健康データ表示方法。
【請求項９】
前記ウェアラブルデバイスが送信した起動命令を受信するステップと、
前記起動命令に従って運行状態に入るステップと
を、さらに含むことを特徴とする請求項７に記載の健康データ表示方法。
【請求項１０】
前記ウェアラブルデバイスが送信したシャットダウン命令を受信するステップと、
前記シャットダウン命令に従って休止状態、或は、シャットダウン状態に入るステップと
を、さらに含むことを特徴とする請求項７に記載の健康データ表示方法。
【請求項１１】
前記健康データを表示するステップは、
サーバに前記健康データをアップロードし、前記サーバから過去の健康データを取得するステップと、
取得された前記過去の健康データと前記健康データとを統合して表示するステップと
を含むことを特徴とする請求項７乃至１０のいずれか１項に記載の健康データ表示方法。
【請求項１２】
前記ウェアラブルデバイスとバインディング関係が確立されたか否かを検出するステップと、
前記ウェアラブルデバイスとバインディング関係が確立された場合、前記ウェアラブルデバイスとの無線接続を確立するステップを実行するステップと
を、さらに含むことを特徴とする請求項７乃至１０のいずれか１項に記載の健康データ表示方法。
【請求項１３】
前記ウェアラブルデバイスとの前記バインディング関係を予め確立するステップ
を、さらに含むことを特徴とする請求項１２に記載の健康データ表示方法。
【請求項１４】
前記ウェアラブルデバイスとのバインディング関係を予め確立するステップは、
家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信するステップ
を含むことを特徴とする請求項１３に記載の健康データ表示方法。
【請求項１５】
ウェアラブルデバイスに用いられる健康データ表示装置であって、
ユーザの健康データを収集するためのデータ収集モジュールと、
家庭用メディアプレーヤデバイスとの無線接続を確立するための接続確立モジュールと、
前記無線接続を用いて、前記健康データを受信して表示するための前記家庭用メディアプレーヤデバイスに、前記健康データを送信するためのデータ送信モジュールと
を備えることを特徴とする健康データ表示装置。
【請求項１６】
前記接続確立モジュールは、
前記家庭用メディアプレーヤデバイスとの無線接続をダイレクトに確立するためのダイレクト確立ユニット、
或は、
バインディングされた移動端末を利用して、前記家庭用メディアプレーヤデバイスとの無線接続を確立するためのバインディング確立ユニット
を備えることを特徴とする請求項１５に記載の健康データ表示装置。
【請求項１７】
起動トリガ条件を満たすか否かを検出するための第１検出モジュールと、
前記起動トリガ条件を満たす場合、起動命令が受信された後に運行状態に入る前記家庭用メディアプレーヤデバイスに、起動命令を送信するための第１送信モジュールと
を、さらに備え、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む
ことを特徴とする請求項１５に記載の健康データ表示装置。
【請求項１８】
シャットダウントリガ条件を満たすか否かを検出するための第２検出モジュールと、
前記シャットダウントリガ条件を満たす場合、前記シャットダウン命令が受信された後に休止状態、或は、シャットダウン状態に入る前記家庭用メディアプレーヤデバイスに、シャットダウン命令を送信するための第２送信モジュールと
を、さらに備え、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む
ことを特徴とする請求項１５に記載の健康データ表示装置。
【請求項１９】
前記家庭用メディアプレーヤデバイスとのバインディング関係を予め確立するためのバインディング関係確立モジュール
をさらに備えることを特徴とする請求項１５乃至１８のいずれか１項に記載の健康データ表示装置。
【請求項２０】
前記バインディング関係確立モジュールは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信する
ことを特徴とする請求項１９に記載の健康データ表示装置。
【請求項２１】
家庭用メディアプレーヤデバイスに用いられる健康データ表示装置であって、
ウェアラブルデバイスとの無線接続を確立するための接続確立モジュールと、
前記無線接続を用いて、前記ウェアラブルデバイスが送信したユーザの健康データを受信するためのデータ受信モジュールと、
前記健康データを表示するためのデータ表示モジュールと
を備えることを特徴とする健康データ表示装置。
【請求項２２】
前記接続確立モジュールは、
前記ウェアラブルデバイスとの無線接続をダイレクトに確立するためのダイレクト確立ユニット、
或は、
前記ウェアラブルデバイスとバインディングされた移動端末を利用して、前記ウェアラブルデバイスとの無線接続を確立するためのバインディング確立ユニット
を備えることを特徴とする請求項２１に記載の健康データ表示装置。
【請求項２３】
前記ウェアラブルデバイスが送信した起動命令を受信するための第１受信モジュールと、
前記起動命令に従って運行状態に入るための第１進入モジュールと
を、さらに備えることを特徴とする請求項２１に記載の健康データ表示装置。
【請求項２４】
前記ウェアラブルデバイスが送信したシャットダウン命令を受信するための第２受信モジュールと、
前記シャットダウン命令に従って休止状態、或は、シャットダウン状態に入る第２進入モジュールと
を、さらに備えることを特徴とする請求項２１に記載の健康データ表示装置。
【請求項２５】
前記データ表示モジュールは、
サーバに前記健康データをアップロードし、前記サーバから過去の健康データを取得するためのアップロード取得ユニットと、
取得された前記過去の健康データと前記健康データとを統合して表示するための統合表示ユニットと
を備えることを特徴とする請求項２１乃至２４のいずれか１項に記載の健康データ表示装置。
【請求項２６】
前記ウェアラブルデバイスとバインディング関係が確立されたか否かを検出し、前記ウェアラブルデバイスとバインディング関係が確立された場合、前記接続確立モジュールをトリガしてウェアラブルデバイスとの無線接続を確立するためのバインディング関係検出モジュール
をさらに備えることを特徴とする請求項２１乃至２４のいずれか１項に記載の健康データ表示装置。
【請求項２７】
前記ウェアラブルデバイスとの前記バインディング関係を予め確立するためのバインディング関係確立モジュール
を、さらに備えることを特徴とする請求項２６に記載の健康データ表示装置。
【請求項２８】
前記バインディング関係確立モジュールは、家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信する
ことを特徴とする請求項２７に記載の健康データ表示装置。
【請求項２９】
プロセッサと、
前記プロセッサが実行可能な命令を記憶するためのメモリと
を備え、
前記プロセッサは、
ユーザの健康データを収集し、
家庭用メディアプレーヤデバイスとの無線接続を確立し、
前記無線接続を用いて、前記健康データを受信して表示するための前記家庭用メディアプレーヤデバイスに、前記健康データを送信する
ように構成されることを特徴とする健康データ表示装置。
【請求項３０】
プロセッサと、
前記プロセッサが実行可能な命令を記憶するためのメモリと
を備え、
前記プロセッサは、
ウェアラブルデバイスとの無線接続を確立し、
前記無線接続を用いて、前記ウェアラブルデバイスが送信したユーザの健康データを受信し、
前記健康データを表示する
ように構成されることを特徴とする健康データ表示装置。
【発明の詳細な説明】
【相互参照】
【０００１】
本願は、出願番号がＣＮ２０１４１０３４４６３４.９であって、出願日が２０１４年７月１８日である中国特許出願に基づいて優先権を主張し、当該中国特許出願のすべての内容を援用するようにする。
【技術分野】
【０００２】
本発明は、データ表示分野に関し、特に、健康データ表示方法、及び装置に関する。
【背景技術】
【０００３】
例えば、スマートブレスレット、スマートウォッチのようなウェアラブルデバイスは、現在の新興の電子機器である。ここで、ウェアラブルデバイスは、主に、ユーザの健康データを収集するためのデバイスである。
【０００４】
ほとんどのウェアラブルデバイスにはディスプレイがないため、関連技術では、ウェアラブルデバイスは、ＵＳＢ（Ｕｎｉｖｅｒｓａｌ Ｓｅｒｉａｌ Ｂｕｓ）データ回線を利用してコンピュータと接続してから、コンピュータにインストールされているアプリケーションを利用してウェアラブルデバイス中の健康データ読み込んで表示する必要がある。
【０００５】
発明者は、本発明を実現する過程において、上記の方法には少なくとも以下の欠点が存在することを発見した。即ち、上記の表示方法は、ユーザによりデータ回線を利用してウェアラブルデバイスとコンピュータとを接続した後にのみ、ウェアラブルデバイス中の健康データを表示することができるため、操作過程が煩雑で利用効率がより低い。
【発明の概要】
【０００６】
関連技術でのユーザによりデータ回線を利用してウェアラブルデバイスとコンピュータとを接続した後にのみ、ウェアラブルデバイス中の健康データを表示できるため、操作過程が煩雑で利用効率がより低い問題を解決するために、本発明に係る実施例は健康データ表示方法、及び装置を提供する。前記の技術案は以下のとおりである。
【０００７】
本発明に係る実施例の第１の態様によると、ウェアラブルデバイスに用いられる健康データ表示方法を提供する。前記方法は、
ユーザの健康データを収集するステップと、
家庭用メディアプレーヤデバイスとの無線接続を確立するステップと、
前記無線接続を用いて、前記健康データを受信して表示するための前記家庭用メディアプレーヤデバイスに、前記健康データを送信するステップと
を含む。
【０００８】
一実施例において、前記家庭用メディアプレーヤデバイスとの無線接続を確立するステップは、
前記家庭用メディアプレーヤデバイスとの無線接続をダイレクトに確立するステップ、
或は、
バインディングされた移動端末を利用して、前記家庭用メディアプレーヤデバイスとの無線接続を確立するステップ
を含む。
【０００９】
一実施例において、前記方法は、
起動トリガ条件を満たすか否かを検出するステップと、
前記起動トリガ条件を満たす場合、起動命令が受信された後に運行状態に入る前記家庭用メディアプレーヤデバイスに、起動命令を送信するステップと
を、さらに含み、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む。
【００１０】
一実施例において、前記方法は、
シャットダウントリガ条件を満たすか否かを検出するステップと、
前記シャットダウントリガ条件を満たす場合、シャットダウン命令が受信された後に休止状態、或は、シャットダウン状態に入る前記家庭用メディアプレーヤデバイスに、前記シャットダウン命令を送信するステップと
を、さらに含み、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む。
【００１１】
一実施例において、前記方法は、
前記家庭用メディアプレーヤデバイスとのバインディング関係を予め確立するステップ
をさらに含む。
【００１２】
一実施例において、前記家庭用メディアプレーヤデバイスとのバインディング関係を予め確立するステップは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ
を含む。
【００１３】
本発明に係る実施例の第２の態様によると、家庭用メディアプレーヤデバイスに用いられる健康データ表示方法を提供する。前記方法は、
ウェアラブルデバイスとの無線接続を確立するステップと、
前記無線接続を用いて、前記ウェアラブルデバイスが送信したユーザの健康データを受信するステップと、
前記健康データを表示するステップと
を含む。
【００１４】
一実施例において、前記ウェアラブルデバイスとの無線接続を確立するステップは、
前記ウェアラブルデバイスとの無線接続をダイレクトに確立するステップ、
或は、
前記ウェアラブルデバイスとバインディングされた移動端末を利用して、前記ウェアラブルデバイスとの無線接続を確立するステップ
を含む。
【００１５】
一実施例において、前記方法は、
前記ウェアラブルデバイスが送信した起動命令を受信するステップと、
前記起動命令に従って運行状態に入るステップと
を、さらに含む。
【００１６】
一実施例において、前記方法は、
前記ウェアラブルデバイスが送信したシャットダウン命令を受信するステップと、
前記シャットダウン命令に従って休止状態、或は、シャットダウン状態に入るステップと
を、さらに含む。
【００１７】
一実施例において、前記健康データを表示するステップは、
サーバに前記健康データをアップロードし、前記サーバから過去の健康データを取得するステップと、
取得された前記過去の健康データと前記健康データとを統合して表示するステップと
を含む。
【００１８】
一実施例において、前記方法は、
前記ウェアラブルデバイスとバインディング関係が確立されたか否かを検出するステップと、
前記ウェアラブルデバイスとバインディング関係が確立された場合、前記ウェアラブルデバイスとの無線接続を確立するステップを実行するステップと
を、さらに含む。
【００１９】
一実施例において、前記方法は、
前記ウェアラブルデバイスとの前記バインディング関係を予め確立するステップ
を、さらに含む。
【００２０】
一実施例において、前記ウェアラブルデバイスとのバインディング関係を予め確立するステップは、
家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信するステップ
を含む。
【００２１】
本発明に係る実施例の第３の態様によると、ウェアラブルデバイスに用いられる健康データ表示装置を提供する。当該装置は、
ユーザの健康データを収集するためのデータ収集モジュールと、
家庭用メディアプレーヤデバイスとの無線接続を確立するための接続確立モジュールと、
前記無線接続を用いて、前記健康データを受信して表示するための前記家庭用メディアプレーヤデバイスに、前記健康データを送信するためのデータ送信モジュールと
を備える。
【００２２】
一実施例において、前記接続確立モジュールは、
前記家庭用メディアプレーヤデバイスとの無線接続をダイレクトに確立するためのダイレクト確立ユニット、
或は、
バインディングされた移動端末を利用して、前記家庭用メディアプレーヤデバイスとの無線接続を確立するためのバインディング確立ユニット
を備える。
【００２３】
一実施例において、前記装置は、
起動トリガ条件を満たすか否かを検出するための第１検出モジュールと、
前記起動トリガ条件を満たす場合、起動命令が受信された後に運行状態に入る前記家庭用メディアプレーヤデバイスに、起動命令を送信するための第１送信モジュールと
をさらに備え、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む。
【００２４】
一実施例において、前記装置は、
シャットダウントリガ条件を満たすか否かを検出するための第２検出モジュールと、
前記シャットダウントリガ条件を満たす場合、前記シャットダウン命令が受信された後に休止状態、或は、シャットダウン状態に入る前記家庭用メディアプレーヤデバイスに、シャットダウン命令を送信するための第２送信モジュールと
を、さらに備え、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む。
【００２５】
一実施例において、前記装置は、
前記家庭用メディアプレーヤデバイスとのバインディング関係を予め確立するためのバインディング関係確立モジュール
をさらに備える。
【００２６】
一実施例において、
前記バインディング関係確立モジュールは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
前記バインディング関係確立モジュール、前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信する。
【００２７】
本発明に係る実施例の第４の態様によると、家庭用メディアプレーヤデバイスに用いられる健康データ表示装置を提供する。当該装置は、
ウェアラブルデバイスとの無線接続を確立するための接続確立モジュールと、
前記無線接続を用いて、前記ウェアラブルデバイスが送信したユーザの健康データを受信するためのデータ受信モジュールと、
前記健康データを表示するためのデータ表示モジュールと
を備える。
【００２８】
一実施例において、前記接続確立モジュールは、
前記ウェアラブルデバイスとの無線接続をダイレクトに確立するためのダイレクト確立ユニット、
或は、
前記ウェアラブルデバイスとバインディングされた移動端末を利用して、前記ウェアラブルデバイスとの無線接続を確立するためのバインディング確立ユニット
を備える。
【００２９】
一実施例において、前記装置は、
前記ウェアラブルデバイスが送信した起動命令を受信するための第１受信モジュールと、
前記起動命令に従って運行状態に入るための第１進入モジュールと
を、さらに備える。
【００３０】
一実施例において、前記装置は、
前記ウェアラブルデバイスが送信したシャットダウン命令を受信するための第２受信モジュールと、
前記シャットダウン命令に従って休止状態、或は、シャットダウン状態に入る第２進入モジュールと
を、さらに備える。
【００３１】
一実施例において、前記データ表示モジュールは、
サーバに前記健康データをアップロードし、前記サーバから過去の健康データを取得するためのアップロード取得ユニットと、
取得された前記過去の健康データと前記健康データとを統合して表示するための統合表示ユニットと
を備える。
【００３２】
一実施例において、前記装置は、
前記ウェアラブルデバイスとバインディング関係が確立されたか否かを検出し、前記ウェアラブルデバイスとバインディング関係が確立された場合、前記接続確立モジュールをトリガしてウェアラブルデバイスとの無線接続を確立するためのバインディング関係検出モジュール
を、さらに備える。
【００３３】
一実施例において、前記装置は、
前記ウェアラブルデバイスとの前記バインディング関係を予め確立するためのバインディング関係確立モジュール
を、さらに備える。
【００３４】
一実施例において、
前記バインディング関係確立モジュールは、家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信する。
【００３５】
本発明に係る実施例の第５の態様によると、健康データ表示装置を提供する。当該装置は、
プロセッサと、
前記プロセッサが実行可能な命令を記憶するためのメモリと
を備え、
前記プロセッサは、
ユーザの健康データを収集し、
家庭用メディアプレーヤデバイスとの無線接続を確立し、
前記無線接続を用いて、前記健康データを受信して表示するための前記家庭用メディアプレーヤデバイスに、前記健康データを送信する
ように構成される。
【００３６】
本発明に係る実施例の第６の態様によると、健康データ表示装置を提供する。当該装置は、
プロセッサと、
前記プロセッサが実行可能な命令を記憶するためのメモリと
を備え、
前記プロセッサは、
ウェアラブルデバイスとの無線接続を確立し、
前記無線接続を用いて、前記ウェアラブルデバイスが送信したユーザの健康データを受信し、
前記健康データを表示する
ように構成される。
【００３７】
本発明の実施例が提供する技術方案の有益な効果は以下のとおりである。
ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【００３８】
以上の統括な記述と以下の細部記述は、ただ例示的なものであり、本発明を制限するものではないと、理解するべきである。
【図面の簡単な説明】
【００３９】
ここでの図面は、明細書に合併されて本明細書の一部を構成して、本発明に合致する実施例を示すためのものであり、明細書と一緒に本発明の原理を解析する。
【００４０】
【図１】本発明に係る各実施例によって提供する健康データ表示方法に関する一実施環境の構成を示す模式図である。
【図２】一例示的な実施例に係る健康データ表示方法を示す方法のフローチャートである。
【図３】もう一例示的な実施例に係る健康データ表示方法を示す方法のフローチャートである。
【図４Ａ】さらにもう一例示的な実施例に係る健康データ表示方法を示す方法のフローチャートである。
【図４Ｂ】図４Ａに示す実施例によって提供する一健康データ表示方法の模式図である。
【図４Ｃ】図４Ａに示す実施例によって提供するもう一健康データ表示方法の模式図である。
【図４Ｄ】図４Ａに示す実施例によって提供するウェアラブルデバイスと家庭用メディアプレーヤデバイスとの間のバインディング関係を確立するための一方法の模式図である。
【図４Ｅ】図４Ａに示す実施例によって提供するウェアラブルデバイスと家庭用メディアプレーヤデバイスとの間のバインディング関係を確立するためのもう一方法の模式図である。
【図４Ｆ】図４Ａに示す実施例によって提供するウェアラブルデバイスと家庭用メディアプレーヤデバイスとの間のバインディング関係を確立するためのさらにもう一方法の模式図である。
【図５】一例示的な実施例に係る健康データ表示装置を示すブロック図である。
【図６】もう一例示的な実施例に係る健康データ表示装置を示すブロック図である。
【図７】さらにもう一例示的な実施例に係る健康データ表示装置を示すブロック図である。
【図８】さらに別の一例示的な実施例に係る健康データ表示装置を示すブロック図である。
【図９】一例示的な実施例に係る健康データを表示するための装置を示すブロック図である。
【図１０】一例示的な実施例に係る健康データを表示するための装置を示すブロック図である。
【００４１】
上記図面によって本発明の明確な実施例を例示し、以下にさらに詳しく記述する。これらの図面と文字記述は本発明の旨の範囲を何らの形態によって制限するものではなく、特定の実施例を参照することによって、本技術分野の当業者に本発明の概念を理解させるためのものである。
【発明を実施するための形態】
【００４２】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００４３】
図１を参照すると、本発明に係る各実施例によって提供する健康データ表示方法に関する実施環境の構成を示している。当該実施環境には、ウェアラブルデバイス１２０、家庭用メディアプレーヤデバイス１４０、及びサーバ１６０が含まれている。ここで、ウェアラブルデバイス１２０と家庭用メディアプレーヤデバイス１４０との間は、接続されている。また、家庭用メディアプレーヤデバイス１４０とサーバ１６０との間は、接続されている。ウェアラブルデバイス１２０は、さらに、サーバ１６０と接続されている（図１に図示していない）。 
【００４４】
ウェアラブルデバイス１２０は、健康データ収集機能を有する電子機器であってもよい。
【００４５】
当該電子機器は、スマートブレスレット、スマートウォッチ、等であってもよい。
【００４６】
ウェアラブルデバイス１２０と家庭用メディアプレーヤデバイス１４０との間は、無線ネットワークを介して接続されている。無線ネットワークを介する接続は、ＷＩＦＩ（Ｗｉｒｅｌｅｓｓ Ｆｉｄｅｌｉｔｙ、ワイヤレス?フィディリティー）接続、ブルートゥース接続、或は、赤外線接続を含むが、これに制限されない。
【００４７】
家庭用メディアプレーヤデバイス１４０は、健康データの受信機能と表示機能を有する電子機器であってもよい。当該電子機器は、プロジェクター、スマートテレビ、或は、液晶モニターであってもよい。
【００４８】
家庭用メディアプレーヤデバイス１４０とサーバ１６０との間は、有線ネットワーク、或は、無線ネットワークを介して接続されている。
【００４９】
サーバ１６０は、一つのサーバ、複数のサーバから構成されたサーバークラスタ、或は、一つのクラウドコンピューティング・サービスセンターであってもよい。当該サーバ１６０は、家庭用メディアプレーヤデバイス１４０によりアップロードした健康データを受信し、家庭用メディアプレーヤデバイス１４０に既にアップロードした健康データを提供できる。
【００５０】
図２を参照すると、一例示的な実施例に係る健康データ表示方法を示す方法のフローチャートを示している。当該健康データ表示方法を図１に示されたウェアラブルデバイス１２０に適用する例を挙げて、本実施例を説明する。図２を参照すると、当該方法の流れは、具体的に以下のステップを含む。
【００５１】
ステップ２０１において、ユーザの健康データを収集する。
【００５２】
ステップ２０２において、家庭用メディアプレーヤデバイスとの無線接続を確立する。
【００５３】
ステップ２０３において、当該無線接続を用いて、当該健康データを受信して表示するための当該家庭用メディアプレーヤデバイスに、当該健康データを送信する。
【００５４】
上記のように、本発明に係る実施例によって提供する健康データ表示方法によると、ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【００５５】
図３を参照すると、もう一例示的な実施例に係る健康データ表示方法を示す方法のフローチャートを示している。当該健康データ表示方法を図１に示された家庭用メディアプレーヤデバイス１４０に適用する例を挙げて、本実施例を説明する。図３を参照すると、当該方法の流れは、具体的に以下のステップを含む。
【００５６】
ステップ３０１において、ウェアラブルデバイスとの無線接続を確立する。
【００５７】
ステップ３０２において、当該無線接続を用いて、当該ウェアラブルデバイスが送信したユーザの健康データを受信する。
【００５８】
ステップ３０３において、当該健康データを表示する。
【００５９】
上記のように、本発明に係る実施例によって提供する健康データ表示方法によると、ウェアラブルデバイスとの無線接続を確立し、当該無線接続を用いてウェアラブルデバイスが送信したユーザの健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【００６０】
図４Ａを参照すると、さらにもう一例示的な実施例に係る健康データ表示方法を示す方法のフローチャートを示されている。当該健康データ表示方法を図１に示された実施環境に適用する例を挙げて、本実施例を説明する。図４Ａを参照すると、当該方法の流れは、具体的に以下のステップを含む。
【００６１】
ステップ４０１において、ウェアラブルデバイスにより、ユーザの健康データを収集する。
【００６２】
本発明に係る実施例において、ユーザがウェアラブルデバイスを装着した場合、当該ウェアラブルデバイスはユーザの健康データを収集できることになる。即ち、ウェアラブルデバイスの中には、例えば、重力加速度センサ、歩数計、心拍数センサ、ジャイロセンサ、電子コンパスセンサのような、複数のセンサが設置されている。ウェアラブルデバイスは、センサを用いてユーザの健康データを収集する。
【００６３】
ここで、当該健康データは、心拍数、脈拍数、呼吸数、体温、血圧、血糖、血の中の酸素、脂肪含量、等を含むが、これらに制限されない。
【００６４】
ここで、当該ウェアラブルデバイスには、当該ユーザの健康データを収集するための健康データセンサが配置されている。
【００６５】
ステップ４０２において、ウェアラブルデバイスにより、家庭用メディアプレーヤデバイスに、無線接続確立の要求を送信する。
【００６６】
ウェアラブルデバイスは、収集されたユーザの健康データを表示する必要がある場合、家庭用メディアプレーヤデバイスに無線接続確立の要求を送信する。オプションとして、ウェアラブルデバイスは、当該無線接続確立の要求の中に自デバイスのＩＤを付加してもよい。
【００６７】
ここで、当該ウェアラブルデバイスは、家庭用メディアプレーヤデバイスに無線接続確立の要求をダイレクトに送信してもよいし、自デバイスとバインディングされた移動端末を用いて家庭用メディアプレーヤデバイスに無線接続確立の要求を送信してもよい。
【００６８】
ここで、当該無線接続は、ＷＩＦＩ接続、ブルートゥース接続、或は、赤外線接続を含むが、これらに制限されない。
【００６９】
ステップ４０３において、家庭用メディアプレーヤデバイスにより、ウェアラブルデバイスが送信した無線接続確立の要求を受信する。
【００７０】
家庭用メディアプレーヤデバイスは、スマートテレビであってもよい。スマートテレビは、ウェアラブルデバイスが送信した無線接続確立の要求を受信できる。
【００７１】
ステップ４０４において、家庭用メディアプレーヤデバイスにより、ウェアラブルデバイスとのバインディング関係が確立されているか否かを検出する。
【００７２】
ここで、当該バインディング関係は、家庭用メディアプレーヤデバイスとウェアラブルデバイスとの間の相互信頼の関係を示すためのものである。
【００７３】
家庭用メディアプレーヤデバイスは、ウェアラブルデバイスが送信した無線接続確立の要求が受信された場合、自デバイスとウェアラブルデバイスと間にバインディング関係が確立されているか否かを検出して、検出結果に基づいてウェアラブルデバイスとの無線接続を確立するか否かを判断する。
【００７４】
オプションとして、家庭用メディアプレーヤデバイスは、当該無線接続確立の要求中に付加されたデバイスＩＤと自デバイスがメンテナンスしているデバイスＩＤとを比較することにより、当該要求中に付加されたＩＤと自デバイスがメンテナンスしているＩＤとが同一であるか否かに基づいて、ウェアラブルデバイスとのバインディング関係が確立されているか否かを検出する。
【００７５】
ステップ４０５において、家庭用メディアプレーヤデバイスとウェアラブルデバイスと間にバインディング関係が確立されている場合、家庭用メディアプレーヤデバイスは、ウェアラブルデバイスと間の無線接続を確立する。
【００７６】
ここで、ウェアラブルデバイスが家庭用メディアプレーヤデバイスに無線接続確立の要求をダイレクトに送信できるデバイスである場合には、家庭用メディアプレーヤデバイスは、ウェアラブルデバイスとの無線接続をダイレクトに確立する。一方、ウェアラブルデバイスは、自デバイスとバインディングされた移動端末を利用して家庭用メディアプレーヤデバイスに無線接続確立の要求を送信できるデバイスである場合には、家庭用メディアプレーヤデバイスは、ウェアラブルデバイスとバインディングされた移動端末を利用して、ウェアラブルデバイスとの無線接続を確立する。
【００７７】
オプションとして、家庭用メディアプレーヤデバイスは、当該無線接続の確立に成功した後に、ウェアラブルデバイスに応答を返送して、当該無線接続の確立に成功した旨を通知してもよい。
【００７８】
ステップ４０６において、ウェアラブルデバイスは、起動トリガ条件を満たすか否かを検出する。
【００７９】
ウェアラブルデバイスは、家庭用メディアプレーヤデバイスが返送した応答が受信された場合、起動トリガ条件を満たすか否かを検出する。
【００８０】
ここで、当該起動トリガ条件は、第１指定タイミングに達したこと、収集された身体ジェスチャーが第１ジェスチャーに合致すること、或は、ウェアラブルデバイスと家庭用メディアプレーヤデバイスとの間の距離が所定の距離未満であることを含むが、これらに制限されない。
【００８１】
ここで、経験によって当該第１指定タイミングを特定してもよい。ここで、その特定の原則は、ウェアラブルデバイスにより信頼的な健康データを収集できることを保証する。ウェアラブルデバイスは、一般的に、ユーザの空腹の状態に、より信頼的な健康データを収集できる。それで、当該第１指定タイミングを毎日の朝の８時と特定してもよいし、毎日の早の７時と特定してもよい。
【００８２】
オプションとして、ウェアラブルデバイスは、自デバイスにインストールされている時間を表示するためのアプリケーションを用いて、第１指定タイミングに達したか否かを検出してもよい。
【００８３】
ここで、当該第１ジェスチャーは、ウェアラブルデバイスとインタラクティブできるジェスチャーである。例えば、当該第１ジェスチャーは、ユーザの丸をかくジェスチャーであってもよい。
【００８４】
オプションとして、ウェアラブルデバイスは、自デバイスに配置されているジェスチャーセンサを用いて、ユーザの身体ジェスチャーを収集して、収集された身体ジェスチャーと自デバイスがメンテナンスしている身体ジェスチャーとを比較することにより、第１ジェスチャーに合致するか否かを検出してもよい。
【００８５】
ここで、経験によって当該所定の距離を特定してもよい。その特定の原則は、ウェアラブルデバイスと家庭用メディアプレーヤデバイスとの間で信頼的にデータ通信を行うことができることを保証する。
【００８６】
オプションとして、ウェアラブルデバイスは、自デバイスに配置された短距離無線通信アセンブリを用いて、ウェアラブルデバイスと家庭用メディアプレーヤデバイスとの間の距離が所定の距離未満であるか否かを検出してもよい。例えば、ウェアラブルデバイスは、ブルートゥース測位機能を利用して、ウェアラブルデバイスと家庭用メディアプレーヤデバイスとの間の距離が所定の距離未満であるか否かを検出してもよい。或は、ウェアラブルデバイスは、赤外線測位機能を利用して、ウェアラブルデバイスと家庭用メディアプレーヤデバイスとの間の距離が所定の距離未満であるか否かを検出してもよい。
【００８７】
オプションとして、ウェアラブルデバイスは、自デバイスが支援する短距離無線通信技術によって、ウェアラブルデバイスと家庭用メディアプレーヤデバイスとの間の距離が所定の距離未満であるか否かを検出してもよい。例えば、ウェアラブルデバイスは、ＷＩＦＩ通信技術によって、ウェアラブルデバイスと家庭用メディアプレーヤデバイスとの間の距離が所定の距離未満であるか否かを検出してもよい。
【００８８】
ウェアラブルデバイスは、時間が第１指定タイミングに達したことが検出された場合、或は、収集された身体ジェスチャーが第１ジェスチャーに合致することが検出された場合、或は、ウェアラブルデバイスと家庭用メディアプレーヤデバイスとの間の距離が所定の距離未満であることが検出された場合に、起動トリガ条件を満たすと検出する。
【００８９】
ステップ４０７において、ウェアラブルデバイスは、起動トリガ条件を満たす場合、家庭用メディアプレーヤデバイスに起動命令を送信する。
【００９０】
ウェアラブルデバイスは、起動トリガ条件を満たすことが検出された場合、家庭用メディアプレーヤデバイスに起動命令を送信して、家庭用メディアプレーヤデバイスが当該起動命令に従って運行状態に入るようにする。
【００９１】
例えば、スマートブレスレットは、毎日の朝の８時に、スマートテレビに起動命令を送信する。
【００９２】
ステップ４０８において、家庭用メディアプレーヤデバイスは、ウェアラブルデバイスが送信した起動命令を受信する。
【００９３】
ウェアラブルデバイスにより家庭用メディアプレーヤデバイスに起動命令を送信した後に、家庭用メディアプレーヤデバイスが当該起動命令を受信する。
【００９４】
ステップ４０９において、家庭用メディアプレーヤデバイスは、起動命令に従って、運行状態に入る。
【００９５】
家庭用メディアプレーヤデバイスは、ウェアラブルデバイスが送信した起動命令が受信された場合、当該起動命令に従って運行状態に入る。
【００９６】
オプションとして、家庭用メディアプレーヤデバイスは、運行状態に入る際に、ウェアラブルデバイスに応答を返送して、自デバイスがもう運行状態に入った旨を通知してもよい。
【００９７】
例えば、スマートテレビは、毎日の朝の８時に、ウェアラブルデバイスが送信した起動命令に従って運行状態に入る。
【００９８】
ステップ４１０において、ウェアラブルデバイスは、無線接続を用いて、家庭用メディアプレーヤデバイスに健康データを送信する。
【００９９】
ウェアラブルデバイスは、家庭用メディアプレーヤデバイスにより送信した応答が受信された場合、収集された健康データを、当該ウェアラブルデバイスと家庭用メディアプレーヤデバイスとの間の無線接続を用いて、家庭用メディアプレーヤデバイスに送信する。
【０１００】
ステップ４１１において、家庭用メディアプレーヤデバイスは、無線接続を用いて、ウェアラブルデバイスが送信したユーザの健康データを受信する。
【０１０１】
ウェアラブルデバイスにより、ウェアラブルデバイスと家庭用メディアプレーヤデバイスとの間の無線接続を用いて、収集された健康データを家庭用メディアプレーヤデバイスに送信した場合、家庭用メディアプレーヤデバイスは当該健康データを受信する。
【０１０２】
ステップ４１２において、家庭用メディアプレーヤデバイスは、健康データを表示する。
家庭用メディアプレーヤデバイスは、ウェアラブルデバイスが送信した健康データが受信された場合、当該健康データを表示する。
【０１０３】
オプションとして、ウェアラブルデバイスは、家庭用メディアプレーヤデバイスに健康データを送信する際に、当該健康データ中にユーザのアカウント番号を付加することにより、当家庭用メディアプレーヤデバイスが当該健康データを受信した後に、当該健康データに付加されたユーザのアカウント番号に基づいて、サーバから、当該ユーザのアカウント番号に対応する過去の健康データを取得して、受信された健康データを表示する同時に、当該過去の健康データも表示するようにしてもよい。
【０１０４】
オプションとして、家庭用メディアプレーヤデバイスは、受信された健康データと取得された過去の健康データとを統合して、表示してもよい。
【０１０５】
例えば、家庭用メディアプレーヤデバイスは、受信された健康データと取得された健康データとを図４Ｂに示された表形式に統合することにより、今回に受信された健康データと取得された過去の健康データとの比較関係をもっと明らかにして、ユーザが当該比較関係に基づいて、もっと明確に自分の健康状況を了解するようにしてもよい。
【０１０６】
さらに、例えば、家庭用メディアプレーヤデバイスは、受信された健康データと取得された健康データとを図４Ｃに示されたグラフの形式に統合することにより、今回に受信された健康データと取得された過去の健康データとの変動をもっと直観的に表示して、ユーザが当該グラフに基づいて、もっと直観的に自分の健康状況を了解するようにしてもよい。
【０１０７】
ステップ４１３において、ウェアラブルデバイスシャットは、ダウントリガ条件を満たすか否かを検出する。
【０１０８】
ここで、当該シャットダウントリガ条件は、第２指定タイミングに達したこと、収集された身体ジェスチャーが第２ジェスチャーに合致すること、或は、ウェアラブルデバイスと家庭用メディアプレーヤデバイスとの間の距離が所定の距離以上であることを含むが、これらに制限されない。
【０１０９】
ここで、経験によって当該第２指定タイミングを特定してもよい。ここで、その特定の原則は、ユーザが家庭用メディアプレーヤデバイスに表示された健康データをもう照会したことを保証する。
【０１１０】
オプションとして、ウェアラブルデバイスは、自デバイスにインストールされている時間を表示するためのアプリケーションを用いて、第１指定タイミングに達したか否かを検出してもよい。
【０１１１】
ここで、当該第２ジェスチャーは、ウェアラブルデバイスとインタラクティブできるジェスチャーである。例えば、当該第１ジェスチャーは、ユーザの横線をかくジェスチャー、ユーザの縦線をかくジェスチャー、或は、他のジェスチャーであってもよい。
【０１１２】
オプションとして、ウェアラブルデバイスは、自デバイスに配置されているジェスチャーセンサを用いて、ユーザの身体ジェスチャーを収集して、収集された身体ジェスチャーと自デバイスがメンテナンスしている身体ジェスチャーとを比較することにより、収集された身体ジェスチャーが第２ジェスチャーに合致するか否かを検出してもよい。
【０１１３】
ここで、経験によって当該所定の距離を特定してもよい。ここで、その特定の原則は、ウェアラブルデバイスと家庭用メディアプレーヤデバイスとの間で信頼的にデータ通信を行うことができることを保証する。
【０１１４】
オプションとして、ウェアラブルデバイスは、自デバイスに配置されている短距離無線通信アセンブリを用いて、ウェアラブルデバイスと家庭用メディアプレーヤデバイスとの間の距離が所定の距離以上であるか否かを検出してもよい。例えば、ウェアラブルデバイスは、ブルートゥース測位によって、ウェアラブルデバイスと家庭用メディアプレーヤデバイスとの間の距離が所定の距離以上であるか否かを検出してもよい。或は、ウェアラブルデバイスは、赤外線測位によって、ウェアラブルデバイスと家庭用メディアプレーヤデバイスとの間の距離が所定の距離以上であるか否かを検出してもよい。
【０１１５】
オプションとして、ウェアラブルデバイスは、さらに、自デバイスが支援する短距離無線通信技術によって、ウェアラブルデバイスと家庭用メディアプレーヤデバイスとの間の距離が所定の距離以上であるか否かを検出してもよい。例えば、ウェアラブルデバイスは、ＷＩＦＩ通信技術によって、ウェアラブルデバイスと家庭用メディアプレーヤデバイスとの間の距離が所定の距離以上であるか否かを検出してもよい。
【０１１６】
ウェアラブルデバイスは、時間が第２指定タイミングに達したことが検出された場合、或は、収集された身体ジェスチャーが第２ジェスチャーに合致することが検出された場合、或は、ウェアラブルデバイスと家庭用メディアプレーヤデバイスとの間の距離が所定の距離以上であることが検出された場合に、シャットダウントリガ条件を満たすと検出する。
【０１１７】
当該第２ジェスチャーは、上記の第１ジェスチャーと同一であってもよいし、上記の第１ジェスチャーと同一でないでもよいことを、説明する必要がある。当該第２ジェスチャーと第１ジェスチャーとが同一であると、現在、家庭用メディアプレーヤデバイスが休止状態、或は、シャットダウン状態にいる場合に、当該ジェスチャーが受信されたら、家庭用メディアプレーヤデバイスは運行状態に入る。現在、家庭用メディアプレーヤデバイスが運行状態にいる場合、当該ジェスチャーが受信されたら、家庭用メディアプレーヤデバイスは休止状態、或は、シャットダウン状態に入る。
【０１１８】
ステップ４１４において、シャットダウントリガ条件を満たす場合、ウェアラブルデバイスは、家庭用メディアプレーヤデバイスにシャットダウン命令を送信する。
【０１１９】
ウェアラブルデバイスは、シャットダウントリガ条件を満たすことが検出された場合、家庭用メディアプレーヤデバイスにシャットダウン命令を送信して、家庭用メディアプレーヤデバイスが当該シャットダウン命令に従って休止状態、或は、シャットダウン状態に入るようにする。
【０１２０】
ステップ４１５において、家庭用メディアプレーヤデバイスは、ウェアラブルデバイスが送信したシャットダウン命令を受信する。
【０１２１】
ウェアラブルデバイスが家庭用メディアプレーヤデバイスにシャットダウン命令を送信した後に、家庭用メディアプレーヤデバイスが当該シャットダウン命令を受信する。
【０１２２】
ステップ４１６において、家庭用メディアプレーヤデバイスは、シャットダウン命令に従って、休止状態、或は、シャットダウン状態に入る。
【０１２３】
家庭用メディアプレーヤデバイスは、ウェアラブルデバイスが送信したシャットダウン命令が受信された場合、当該シャットダウン命令に従って、休止状態、或は、シャットダウン状態に入る。
【０１２４】
上記のように、本発明に係る実施例によって提供する健康データ表示方法によると、ウェアラブルデバイスは、ユーザの健康データを収集する際に、家庭用メディアプレーヤデバイスに無線接続確立の要求を送信し、家庭用メディアプレーヤデバイスにより無線接続を確立した後に、家庭用メディアプレーヤデバイスに健康データを送信することにより、家庭用メディアプレーヤデバイスはウェアラブルデバイスが送信した健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１２５】
本発明に係る実施例によって提供する健康データ表示方法によると、ウェアラブルデバイスは、家庭用メディアプレーヤデバイスに健康データを送信する際に、当該健康データ中にユーザのアカウント番号を付加し、家庭用メディアプレーヤデバイスは、当該健康データを受信した際に、当該健康データをサーバにアップロードして、当該健康データに付加されたユーザのアカウント番号に基づいてサーバから当該ユーザのアカウント番号に対応する過去の健康データを取得して、当該健康データと過去の健康データを統合して表示する。このようにすることにより、ユーザが、もっと明確に、且つ直観的に、自分の健康状況を了解するようにした上で、サーバに保存したユーザの健康データの完全性を保証した。
【０１２６】
本発明に係る実施例によって提供する健康データ表示方法によると、家庭用メディアプレーヤデバイスは、ウェアラブルデバイスが送信した接続確立要求が受信された際に、自デバイスとウェアラブルデバイスとのバインディング関係が確立されているか否かを検出して、バインディング関係が確立されていると、ウェアラブルデバイスとの間の無線接続を確立することにより、無線接続確立の有效性を保証した。
【０１２７】
本発明に係る実施例によって提供する健康データ表示方法によると、ウェアラブルデバイスは、起動トリガ条件を満たすことが検出された際に、家庭用メディアプレーヤデバイスに起動命令を送信して、家庭用メディアプレーヤデバイスが、当該起動命令に従って運行状態に入るようにし、さらにウェアラブルデバイスが送信した健康データを受信するようにする。このようにすることにより、家庭用メディアプレーヤデバイスが健康データを正確に受信することを保証した。さらに、ウェアラブルデバイスは、シャットダウントリガ条件を満たすことが検出された際に、家庭用メディアプレーヤデバイスにシャットダウン命令を送信して、家庭用メディアプレーヤデバイスが、当該シャットダウン命令に従って休止状態、或は、シャットダウン状態に入るようにする。このようにすることにより、ユーザの健康データの安全性を保証した。
【０１２８】
本発明に係る実施例によって提供する健康データ表示方法によると、ウェアラブルデバイスは、第１指定タイミングに達したことが検出された場合、収集された身体ジェスチャーが第１ジェスチャーに合致することが検出された場合、或は、ウェアラブルデバイスと家庭用メディアプレーヤデバイスとの間の距離が所定の距離未満であることが検出された場合に、家庭用メディアプレーヤデバイスに起動命令を送信し、逆に、第２指定タイミングに達したことが検出された場合、収集された身体ジェスチャーが第２ジェスチャーに合致することが検出された場合、或は、ウェアラブルデバイスと家庭用メディアプレーヤデバイスとの間の距離が所定の距離以上であることが検出された場合に、家庭用メディアプレーヤデバイスにシャットダウン命令を送信する。このようにすることにより、トリガ起動条件のトリガ方法、及びシャットダウン条件のトリガ方法を豊富化した。
【０１２９】
上記のステップ４０３から４０５において、ウェアラブルデバイスは、家庭用メディアプレーヤデバイスとの無線接続を確立される前に、まず、ウェアラブルデバイスと家庭用メディアプレーヤデバイスとに対してバインディングする必要がある。
【０１３０】
本発明に係る実施例において、ウェアラブルデバイスと家庭用メディアプレーヤデバイスとに対してバインディングする方法は、以下の三つのケースがある。
【０１３１】
第１のケースにおいて、ウェアラブルデバイスによりウェアラブルデバイスＩＤとユーザのアカウント番号とを、サーバに送信する同時に、家庭用メディアプレーヤデバイスも家庭用メディアプレーヤデバイスＩＤとユーザのアカウント番号とをサーバに送信することにより、サーバは、ウェアラブルデバイスＩＤ、家庭用メディアプレーヤデバイスＩＤ、及びユーザのアカウント番号に基づいて、ウェアラブルデバイス、家庭用メディアプレーヤデバイス、及びユーザのアカウント番号に対して、バインディングを行う。
【０１３２】
第２のケースにおいて、ウェアラブルデバイスにより、バインディングされた移動端末を利用して、ウェアラブルデバイスＩＤとユーザのアカウント番号とを、サーバに送信する同時に、家庭用メディアプレーヤデバイスも、家庭用メディアプレーヤデバイスＩＤとユーザのアカウント番号とを、サーバに送信することにより、サーバは、ウェアラブルデバイスＩＤ、家庭用メディアプレーヤデバイスＩＤ、及びユーザのアカウント番号に基づいて、ウェアラブルデバイス、家庭用メディアプレーヤデバイス、及びユーザのアカウント番号に対して、バインディングを行う。
【０１３３】
第３のケースにおいて、ウェアラブルデバイスにより、家庭用メディアプレーヤデバイスを利用して、ウェアラブルデバイスＩＤとユーザのアカウント番号とを、サーバに送信する同時に、家庭用メディアプレーヤデバイスも家庭用メディアプレーヤデバイスＩＤとユーザのアカウント番号とをサーバに送信することにより、サーバは、ウェアラブルデバイスＩＤ、家庭用メディアプレーヤデバイスＩＤ、及びユーザのアカウント番号に基づいて、ウェアラブルデバイス、家庭用メディアプレーヤデバイス、及びユーザのアカウント番号に対して、バインディングを行う。
【０１３４】
上記の三つのケースにおいて、ウェアラブルデバイスＩＤは、一つのウェアラブルデバイスを一意に識別するためのものであり、家庭用メディアプレーヤデバイスＩＤは、一つの家庭用メディアプレーヤデバイスを一意に識別するためのものである。ウェアラブルデバイスによりサーバに送信したユーザのアカウント番号と、家庭用メディアプレーヤデバイスによりサーバに送信したユーザのアカウント番号とは、同一であってもよいし、同一でないでもよい。以下、図面の形式を参照しながら、上記の三つのケースを簡単に説明する。
【０１３５】
図４Ｄを参照すると、図４Ａに示す実施例によって提供するウェアラブルデバイスと家庭用メディアプレーヤデバイスとの間のバインディング関係を確立するための一方法の模式図を示している。当該図４Ｄに示された簡単な例において、家庭用メディアプレーヤデバイスＩＤは「ＺＮＤＳ」であり、家庭用メディアプレーヤデバイスのユーザのアカウント番号は「ｘｉａｏｍｉｙｏｎｇｈｕ」であり、ウェアラブルデバイスＩＤは「ＺＮＳＨ IＤ ５８４７」である。ウェアラブルデバイス１２０により自デバイスのデバイスＩＤである「ＺＮＳＨ IＤ ５８４７」をサーバ１６０送信する同時に、家庭用メディアプレーヤデバイス１４０により自デバイスのデバイスＩＤである「ＺＮＤＳ」、及び自デバイスにログインしたユーザのアカウント番号である「ｘｉａｏｍｉｙｏｎｇｈｕ」をサーバ１６０に送信することにより、サーバ１６０は、ウェアラブルデバイスＩＤ、家庭用メディアプレーヤデバイスＩＤ、及び家庭用メディアプレーヤデバイスのユーザのアカウント番号が受信された際に、当該ウェアラブルデバイス１２０、家庭用メディアプレーヤデバイス１４０、及びユーザのアカウント番号「ｘｉａｏｍｉｙｏｎｇｈｕ」に対して、バインディングを行う。ここで、サーバ１６０は、当該三つの情報を家庭用メディアプレーヤデバイス１４０のディスプレイに表示させて、ユーザが照会するようにして、ユーザの操作に基づいてバインディングを行ってもよい。図４Ｄに示したように、サーバ１６０は、ユーザにより家庭用メディアプレーヤデバイス１４０のスクリーンにおける「はい」を選択した際に、当該ウェアラブルデバイス１２０、家庭用メディアプレーヤデバイス１４０、及びユーザのアカウント番号「ｘｉａｏｍｉｙｏｎｇｈｕ」に対して、バインディングする操作を実行する。
【０１３６】
図４Ｅを参照すると、図４Ａに示す実施例によって提供するウェアラブルデバイスと家庭用メディアプレーヤデバイスとの間のバインディング関係を確立するためのもう一方法の模式図を示している。当該図４Ｅに示された簡単な例において、家庭用メディアプレーヤデバイスＩＤは「ＺＮＤＳ」であり、当該家庭用メディアプレーヤデバイスのユーザのアカウント番号は「ｘｉａｏｍｉｙｏｎｇｈｕ」であり、ウェアラブルデバイスＩＤは「ＺＮＳＨ IＤ ５８４７」である。ウェアラブルデバイス１２０と移動端末１８０との間には、すでに、バインディング関係が予め確立されている。バインディングする具体的な過程は、図４Ｄに示された過程と同一、或は、類似であるため、ここでは、繰り返して説明しない。ウェアラブルデバイス１２０により、移動端末１８０を用いて自デバイスのデバイスＩＤである「ＺＮＳＨ IＤ ５８４７」をサーバ１６０に送信する。実現可能な一形態において、ウェアラブルデバイス１２０によりまず自デバイスのデバイスＩＤである「ＺＮＳＨ IＤ ５８４７」を移動端末１８０を送信して、移動端末１８０によりウェアラブルデバイスＩＤである「ＺＮＳＨ IＤ ５８４７」をサーバ１６０に送信する。実現可能なもう一形態において、ウェアラブルデバイス１２０は移動端末１８０に命令のみ送信して、移動端末１８０がサーバ１６０にウェアラブルデバイスＩＤを送信するようにすることにより、移動端末１８０により自端末に保存されているウェアラブルデバイスＩＤである「ＺＮＳＨ IＤ ５８４７」をサーバ１６０に送信する。ウェアラブルデバイス１２０により移動端末１８０を用いてサーバ１６０にウェアラブルデバイスＩＤを送信する同時に、家庭用メディアプレーヤデバイス１４０により自デバイスのデバイスＩＤである「ＺＮＤＳ」、及び自デバイスにログインしたユーザのアカウント番号である「ｘｉａｏｍｉｙｏｎｇｈｕ」をサーバ１６０に送信することにより、サーバ１６０は、ウェアラブルデバイスＩＤ、家庭用メディアプレーヤデバイスＩＤ、及び家庭用メディアプレーヤデバイスのユーザのアカウント番号が受信された際に、当該ウェアラブルデバイス１２０、家庭用メディアプレーヤデバイス１４０、及びユーザのアカウント番号である「ｘｉａｏｍｉｙｏｎｇｈｕ」に対して、バインディングを行う。ここで、サーバ１６０は、当該三つの情報を家庭用メディアプレーヤデバイス１４０のディスプレイに表示させて、ユーザが照会するようにして、ユーザの操作に基づいてバインディングを行う。図４Ｅに示されたように、サーバ１６０は、ユーザにより家庭用メディアプレーヤデバイス１４０のスクリーンにおける「はい」を選択した際に、当該ウェアラブルデバイス１２０、家庭用メディアプレーヤデバイス１４０、及びユーザのアカウント番号である「ｘｉａｏｍｉｙｏｎｇｈｕ」に対して、バインディングする操作を実行する。
【０１３７】
図４Ｆを参照すると、図４Ａに示す実施例によって提供するウェアラブルデバイスと家庭用メディアプレーヤデバイスとの間のバインディング関係を確立するためのさらにもう一方法の模式図を示している。当該図４Ｆに示された簡単な例において、家庭用メディアプレーヤデバイスＩＤは「ＺＮＤＳ」であり、当該家庭用メディアプレーヤデバイスのユーザのアカウント番号は「ｘｉａｏｍｉｙｏｎｇｈｕ」であり、ウェアラブルデバイスＩＤは「ＺＮＳＨ IＤ ５８４７」である。ウェアラブルデバイス１２０は、家庭用メディアプレーヤデバイス１４０を用いて、自デバイスのデバイスＩＤである「ＺＮＳＨ IＤ ５８４７」をサーバ１６０に送信することができる。実現可能な一形態において、ウェアラブルデバイス１２０によりまず自デバイスのデバイスＩＤである「ＺＮＳＨ IＤ ５８４７」を家庭用メディアプレーヤデバイス１４０に送信して、家庭用メディアプレーヤデバイス１４０によりウェアラブルデバイスＩＤである「ＺＮＳＨ IＤ ５８４７」をサーバ１６０に送信する。ウェアラブルデバイス１２０により家庭用メディアプレーヤデバイス１４０を用いてサーバ１６０にウェアラブルデバイスＩＤを送信する同時に、家庭用メディアプレーヤデバイス１４０により自デバイスのデバイスＩＤである「ＺＮＤＳ」、及び自デバイスに既にログインしたユーザのアカウント番号である「ｘｉａｏｍｉｙｏｎｇｈｕ」をサーバ１６０に送信することにより、サーバ１６０は、ウェアラブルデバイスＩＤ、家庭用メディアプレーヤデバイスＩＤ、及び家庭用メディアプレーヤデバイスのユーザのアカウント番号を受信した際に、当該ウェアラブルデバイス１２０、家庭用メディアプレーヤデバイス１４０、及びユーザのアカウント番号である「ｘｉａｏｍｉｙｏｎｇｈｕ」に対して、バインディングを行う。ここで、サーバ１６０は、当該三つの情報を家庭用メディアプレーヤデバイス１４０のディスプレイに表示させて、ユーザが照会するようにして、ユーザの操作に基づいてバインディングを行ってもよい。図４Ｆに示されたように、サーバ１６０は、ユーザにより家庭用メディアプレーヤデバイス１４０のスクリーンにおける「はい」を選択した際に、当該ウェアラブルデバイス１２０、家庭用メディアプレーヤデバイス１４０、及びユーザのアカウント番号「ｘｉａｏｍｉｙｏｎｇｈｕ」に対して、バインディングする操作を実行する。
【０１３８】
上記のように、本発明に係る実施例によって提供する健康データ表示方法によると、ウェアラブルデバイスと家庭用メディアプレーヤデバイスとのバインディング関係を予め確立することにより、上記の健康データ表示方法のスムーズな実現を保証した。さらに、ウェアラブルデバイスＩＤ、家庭用メディアプレーヤデバイスＩＤ、及びユーザのアカウント番号をサーバに送信するか、或は、バインディングされた移動端末を利用して、ウェアラブルデバイスＩＤ、家庭用メディアプレーヤデバイスＩＤ、及びユーザのアカウント番号をサーバに送信するか、或は、家庭用メディアプレーヤデバイスを利用して、ウェアラブルデバイスＩＤ、家庭用メディアプレーヤデバイスＩＤ、及びユーザのアカウント番号をサーバに送信して、サーバによりウェアラブルデバイス、家庭用メディアプレーヤデバイス、及びユーザのアカウント番号に対してバインディングを行うことにより、バインディング方法の多様性を保証した。
【０１３９】
以下は、本発明の装置の実施例であり、本発明の方法の実施例を実行することができる。本発明の装置の実施例において記述していない細部内容に対しては、本発明の方法の実施例を参照してください。
【０１４０】
図５を参照すると、一例示的な実施例に係る健康データ表示装置のブロック図を示している。当該健康データ表示装置は、ソフトウェア、ハードウェア、又は両者の組み合わせによって、図１に示された実施環境中のウェアラブルデバイス１２０の一部、又は全部を実現できる。当該装置は、データ収集モジュール５１０、接続確立モジュール５２０、及びデータ送信モジュール５３０を備えてもよい。
【０１４１】
データ収集モジュール５１０は、ユーザの健康データを収集する。
【０１４２】
接続確立モジュール５２０は、家庭用メディアプレーヤデバイスとの無線接続を確立する。
【０１４３】
データ送信モジュール５３０は、接続確立モジュール５２０により確立した無線接続を用いて、当該健康データを受信して表示するための家庭用メディアプレーヤデバイスに、健康データを送信する。
【０１４４】
上記のように、本発明に係る実施例によって提供する健康データ表示装置によると、ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１４５】
図６を参照すると、もう一例示的な実施例に係る健康データ表示装置のブロック図を示している。当該健康データ表示装置は、ソフトウェア、ハードウェア、又は両者の組み合わせによって、図１に示された実施環境中の家庭用メディアプレーヤデバイス１４０の一部、又は全部を実現できる。当該装置は、接続確立モジュール６１０、データ受信モジュール６２０、及びデータ表示モジュール６３０を備えてもよい。
【０１４６】
接続確立モジュール６１０は、ウェアラブルデバイスとの無線接続を確立する。
【０１４７】
データ受信モジュール６２０は、接続確立モジュール６１０により確立した無線接続を用いて、ウェアラブルデバイスが送信したユーザの健康データを受信する。
【０１４８】
データ表示モジュール６３０は、データ受信モジュール６２０が受信した健康データを表示する。
【０１４９】
上記のように、本発明に係る実施例によって提供する健康データ表示装置によると、ウェアラブルデバイスとの無線接続を確立し、当該無線接続を用いてウェアラブルデバイスが送信したユーザの健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１５０】
図７を参照すると、さらにもう一例示的な実施例に係る健康データ表示装置のブロック図を示している。当該健康データ表示装置は、ソフトウェア、ハードウェア、又は両者の組み合わせによって、図１に示された実施環境中のウェアラブルデバイス１２０の一部、又は全部を実現できる。当該装置は、データ収集モジュール７１０、接続確立モジュール７２０、及びデータ送信モジュール７３０を備えてもよい。
【０１５１】
データ収集モジュール７１０は、ユーザの健康データを収集する。
【０１５２】
接続確立モジュール７２０は、家庭用メディアプレーヤデバイスとの無線接続を確立する。
【０１５３】
データ送信モジュール７３０は、接続確立モジュール７２０により確立した無線接続を用いて、当該健康データを受信して表示するための家庭用メディアプレーヤデバイスに、健康データを送信する。
【０１５４】
一実施例において、当該接続確立モジュール７２０は、
当該家庭用メディアプレーヤデバイスとの無線接続をダイレクトに確立するためのダイレクト確立ユニット７２１、
或は、
バインディングされた移動端末を利用して、当該家庭用メディアプレーヤデバイスとの無線接続を確立するためのバインディング確立ユニット７２２
を備える。
【０１５５】
一実施例において、当該装置は、
起動トリガ条件を満たすか否かを検出するための第１検出モジュール７４０と、
第１検出モジュール７４０により起動トリガ条件を満たすことが検出された場合、当該起動命令が受信された後に運行状態に入る家庭用メディアプレーヤデバイスに、起動命令を送信するための第１送信モジュール７５０と
を、さらに備え、
ここで、当該起動トリガ条件は、第１指定タイミングに達したこと、収集された身体ジェスチャーが第１ジェスチャーに合致すること、或は、ウェアラブルデバイスと家庭用メディアプレーヤデバイスとの間の距離が所定の距離未満であることを含む。
【０１５６】
一実施例において、当該装置は、
シャットダウントリガ条件を満たすか否かを検出するための第２検出モジュール７６０と、
第２検出モジュール７６０によりシャットダウントリガ条件を満たすことが検出された場合、当該シャットダウン命令が受信された後に休止状態、或は、シャットダウン状態に入る家庭用メディアプレーヤデバイスに、シャットダウン命令を送信するための第２送信モジュール７７０と、
を、さらに備え、
ここで、当該シャットダウントリガ条件は、第２指定タイミングに達したこと、収集された身体ジェスチャーが第２ジェスチャーに合致すること、或は、ウェアラブルデバイスと家庭用メディアプレーヤデバイスとの間の距離が所定の距離以上であることを含む。
【０１５７】
一実施例において、当該装置は、
家庭用メディアプレーヤデバイスとのバインディング関係を予め確立するためのバインディング関係確立モジュール７８０をさらに備える。
【０１５８】
一実施例において、
当該バインディング関係確立モジュール７８０は、
ウェアラブルデバイスＩＤとユーザのアカウント番号とを、当該ウェアラブルデバイスＩＤに基づいて、当該ウェアラブルデバイス、当該ユーザのアカウント番号、及び与当該ユーザのアカウント番号に対応する家庭用メディアプレーヤデバイスに対して、バインディング関係を確立するためのサーバに、送信するか、
或は、
バインディングされた移動端末を利用して、ウェアラブルデバイスＩＤとユーザのアカウント番号とを、当該ウェアラブルデバイスＩＤに基づいて、当該ウェアラブルデバイス、当該ユーザのアカウント番号、及び与当該ユーザのアカウント番号に対応する家庭用メディアプレーヤデバイスに対して、バインディング関係を確立するためのサーバに、送信するか、
或は、
当該家庭用メディアプレーヤデバイスを利用して、ウェアラブルデバイスＩＤとユーザのアカウント番号とを、当該ウェアラブルデバイスＩＤに基づいて、当該ウェアラブルデバイス、当該ユーザのアカウント番号、及び与当該ユーザのアカウント番号に対応する家庭用メディアプレーヤデバイスに対して、バインディング関係を確立するためのサーバに、送信する。
【０１５９】
上記のように、本発明に係る実施例によって提供する健康データ表示装置によると、ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１６０】
本発明に係る実施例によって提供する健康データ表示装置によると、家庭用メディアプレーヤデバイスとの無線接続をダイレクトに確立するか、或は、バインディングされた移動端末を利用して、家庭用メディアプレーヤデバイスとの無線接続を確立することにより、無線接続を確立する方法を豊富化した。
【０１６１】
本発明に係る実施例によって提供する健康データ表示装置によると、起動トリガ条件を満たすことが検出された際に、家庭用メディアプレーヤデバイスに起動命令を送信して、家庭用メディアプレーヤデバイスが、当該起動命令を基づいて運行状態に入るようにし、さらにウェアラブルデバイスが送信した健康データを受信するようにする。このようにすることにより、家庭用メディアプレーヤデバイスが健康データを正確に受信することを保証した。さらに、シャットダウントリガ条件を満たすことが検出された際に、家庭用メディアプレーヤデバイスにシャットダウン命令を送信して、家庭用メディアプレーヤデバイスが、当該シャットダウン命令に従って休止状態、或は、シャットダウン状態に入るようにする。このようにすることにより、ユーザの健康データの安全性を保証した。
【０１６２】
本発明に係る実施例によって提供する健康データ表示装置によると、第１指定タイミングに達したことが検出された場合、収集された身体ジェスチャーが第１ジェスチャーに合致することが検出された場合、或は、ウェアラブルデバイスと家庭用メディアプレーヤデバイスとの間の距離が所定の距離未満であることが検出された場合に、家庭用メディアプレーヤデバイスに起動命令を送信し、逆に、第２指定タイミングに達したことが検出された場合、収集された身体ジェスチャーが第２ジェスチャーに合致することが検出された場合、或は、ウェアラブルデバイスと家庭用メディアプレーヤデバイスとの間の距離が所定の距離以上であることが検出された場合に、家庭用メディアプレーヤデバイスにシャットダウン命令を送信する。このようにすることにより、トリガ起動条件のトリガ方法、及びシャットダウン条件のトリガ方法を豊富化した。
【０１６３】
本発明に係る実施例によって提供する健康データ表示装置によると、家庭用メディアプレーヤデバイスとのバインディング関係を予め確立することにより、上記の健康データ表示方法のスムーズな実現を保証した。さらに、ウェアラブルデバイスＩＤ、家庭用メディアプレーヤデバイスＩＤ、及びユーザのアカウント番号をサーバに送信するか、或は、バインディングされた移動端末を利用して、ウェアラブルデバイスＩＤ、家庭用メディアプレーヤデバイスＩＤ、及びユーザのアカウント番号をサーバに送信するか、或は、家庭用メディアプレーヤデバイスを利用して、ウェアラブルデバイスＩＤ、家庭用メディアプレーヤデバイスＩＤ、及びユーザのアカウント番号をサーバに送信して、サーバによりウェアラブルデバイス、家庭用メディアプレーヤデバイス、及びユーザのアカウント番号に対してバインディングを行うことにより、バインディング方法の多様性を保証した。
【０１６４】
図８を参照すると、さらに別の一例示的な実施例に係る健康データ表示装置のブロック図を示している。当該健康データ表示装置は、ソフトウェア、ハードウェア、又は両者の組み合わせによって、図１に示された実施環境中の家庭用メディアプレーヤデバイス１４０の一部、又は全部を実現できる。当該文件実行装置は、接続確立モジュール８１０、データ受信モジュール８２０、及びデータ表示モジュール８３０を備えてもよい。
【０１６５】
接続確立モジュール８１０は、ウェアラブルデバイスとの無線接続を確立する。
【０１６６】
データ受信モジュール８２０は、接続確立モジュール８１０により確立した無線接続を用いて、ウェアラブルデバイスが送信したユーザの健康データを受信する。
【０１６７】
データ表示モジュール８３０は、データ受信モジュール８２０により受信した健康データを表示する。
【０１６８】
一実施例において、当該接続確立モジュール８１０は、
当該ウェアラブルデバイスとの無線接続をダイレクトに確立するためのダイレクト確立ユニット８１１、
或は、
当該ウェアラブルデバイスとバインディングされた移動端末を利用して、当該ウェアラブルデバイスとの無線接続を確立するためのバインディング確立ユニット８１２
を備える。
【０１６９】
一実施例において、当該装置は、
当該ウェアラブルデバイスが送信した起動命令を受信するための第１受信モジュール８４０と、
第１受信モジュール８４０により受信した起動命令に従って運行状態に入るための第１進入モジュール８５０と
を、さらに備える。
【０１７０】
一実施例において、当該装置は、
当該ウェアラブルデバイスが送信したシャットダウン命令を受信するための第２受信モジュール８６０と、
第２受信モジュール８６０により受信したシャットダウン命令に従って、休止状態、或は、シャットダウン状態に入る第２進入モジュール８７０と
を、さらに含む。
【０１７１】
一実施例において、当該データ表示モジュール８３０は、
サーバに健康データをアップロードし、当該サーバから過去の健康データを取得するためのアップロード取得ユニット８３１と、
アップロード取得ユニット８３１により取得した過去の健康データとデータ受信モジュール８２０により受信した健康データとを、統合して表示するための統合表示ユニット８３２と
を備える。
【０１７２】
一実施例において、当該装置は、
ウェアラブルデバイスとのバインディング関係が確立されているか否かを検出して、ウェアラブルデバイスとのバインディング関係が確立されている場合には、接続確立モジュール８１０をトリガしてウェアラブルデバイスとの無線接続を確立するようにするためのバインディング関係検出モジュール８８０を、さらに備える。
【０１７３】
一実施例において、当該装置は、
ウェアラブルデバイスとの当該バインディング関係を予め確立するためのバインディング関係確立モジュール８９０を、さらに備える。
【０１７４】
一実施例において、
当該バインディング関係確立モジュール８９０は、家庭用メディアプレーヤデバイスＩＤとユーザのアカウント番号とを、当該家庭用メディアプレーヤデバイスＩＤに基づいて、当該家庭用メディアプレーヤデバイス、当該ユーザのアカウント番号、及び当該ユーザのアカウント番号に対応するウェアラブルデバイスに対して、バインディング関係を確立するためのサーバに、送信する
【０１７５】
上記のように、本発明に係る実施例によって提供する健康データ表示装置によると、ウェアラブルデバイスとの無線接続を確立し、当該無線接続を用いてウェアラブルデバイスが送信したユーザの健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１７６】
本発明に係る実施例によって提供する健康データ表示装置によると、ウェアラブルデバイスとの無線接続をダイレクトに確立するか、或は、ウェアラブルデバイスにバインディングされた移動端末を利用して、ウェアラブルデバイスとの無線接続を確立することにより、無線接続を確立する方法を豊富化した。
【０１７７】
本発明に係る実施例によって提供する健康データ表示装置によると、ウェアラブルデバイスが送信した起動命令を受信し、当該起動命令に従って運行状態に入って、ウェアラブルデバイスが送信した健康データを受信する。このようにすることにより、健康データを正確に受信することを保証した。さらに、ウェアラブルデバイスが送信したシャットダウン命令を受信し、当該シャットダウン命令に従って休止状態、或は、シャットダウン状態に入ることにより、ユーザ健康データの安全性を保証した。
【０１７８】
本発明に係る実施例によって提供する健康データ表示装置によると、健康データが受信された際に、当該健康データをサーバにアップロードし、サーバから過去の健康データを取得して、当該健康データと過去の健康データを統合して表示する。このようにすることにより、ユーザが、もっと明確に自分の健康状況を了解するようにした上で、サーバに保存したユーザの健康データの完全性を保証した。
【０１７９】
本発明に係る実施例によって提供する健康データ表示装置によると、ウェアラブルデバイスとのバインディング関係を予め確立することにより、上記の健康データ表示方法のスムーズな実現を保証した。
【０１８０】
上記の実施例の装置について、その各モジュールが実行する操作の具体的な形態は既に当該方法に関する実施例において詳細に説明したため、ここでは詳細に説明しない。
【０１８１】
図９は、一例示的な実施例に係る健康データを表示するための装置９００のブロック図である。例えば、装置９００は、スマートテレビ、プロジェクター、液晶モニター、コンピュータ、等のような家庭用メディアプレーヤデバイスであってもよい。
【０１８２】
図９を参照して、装置９００は、プロセスアセンブリ９０２、メモリ９０４、電源アセンブリ９０６、マルチメディアアセンブリ９０８、オーディオアセンブリ９１０、入出力（Ｉ／ O）インターフェイス９１２、センサアセンブリ９１４、及び通信アセンブリ９１６のような一つ以上のアセンブリを含んでよい。
【０１８３】
プロセスアセンブリ９０２は、一般的には装置９００の全体の操作を制御するものであり、例えば、表示、電話呼び出し、データ通信、カメラ操作、及び記録操作と関連する操作を制御する。プロセスアセンブリ９０２は、一つ以上のプロセッサ９２０を含み、これらによって命令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１８４】
メモリ９０４は、各種類のデータを記憶することにより装置９００の操作を支援するように構成される。これらのデータの例は、装置９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１８５】
電源アセンブリ９０６は、装置９００の多様なアセンブリに電力を供給する。電源アセンブリ９０６は、電源管理システム、一つ以上の電源、及び装置９００のための電力の生成、管理及び割り当てに関連する他のアセンブリを含んでもよい。
【０１８６】
マルチメディアアセンブリ９０８は、前記装置９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ９０８は、一つのフロントカメラ、及び／又はリアカメラを含む。装置９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１８７】
オーディオアセンブリ９１０は、オーディオ信号を入出力するように構成されてもよい。例えば、オーディオアセンブリ９１０は、一つのマイク（ＭＩＣ）を含み、装置９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１８８】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１８９】
センサアセンブリ９１４は、装置９００に各方面の状態に対する評価を提供するための一つ以上のセンサを含む。例えば、センサアセンブリ９１４は、装置９００のＯＮ／ＯＦＦ状態、装置９００のディスプレイとキーパッドのようなアセンブリの相対的な位置決めを検出できる。また、例えば、センサアセンブリ９１４は、装置９００、或は装置９００の一つのアセンブリの位置変更、ユーザと装置９００とが接触しているか否か、装置９００の方位、又は加速／減速、装置９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１９０】
通信アセンブリ９１６は、装置９００と他の機器の間に有線、又は无線形態の通信を提供する。装置９００は、例えばＷｉＦｉ、２Ｇ、３Ｇ、或はこれらの組み合わせのような、通信規格に基づいた无線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１９１】
例示的な実施例において、装置９００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１９２】
例示的な実施例において、さらに、命令を含むコンピュータ読取り可能な非一時的な記録媒体、例えば命令を含むメモリ９０４を提供しており、装置９００のプロセッサ９２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１９３】
コンピュータ読取り可能な非一時的な記録媒体は、当該記録媒体中の命令が装置９００のプロセッサによって実行される際に、装置９００に上記の健康データ表示方法を実行させることができる。
【０１９４】
図１０は、一例示的な実施例に係る健康データ表示装置１０００のブロック図である。例えば、装置１０００は、スマートブレスレット、スマートウォッチ、等のようなウェアラブルデバイスであってもよい。
【０１９５】
図１０を参照すると、装置１０００は、プロセスアセンブリ１００１、メモリ１００２、無線通信アセンブリ１００３、及びセンサアセンブリ１００４のような一つ以上のアセンブリを含んでよい。
【０１９６】
プロセスアセンブリ１００１は、一般的には装置１０００の全体の操作を制御するものであり、例えば、ユーザの健康データの収集、ユーザの健康データの送信、サーバへの健康データのアップロード、などに関連する操作を制御する。プロセスアセンブリ１００１は、一つ以上のプロセッサ１０１０を含み、これらによって命令を実行することにより、上記の方法の全部、或は一部のステップを実現するようにしてもよい。なお、プロセスアセンブリ１００１は、一つ以上のモジュールを含み、これらによってプロセスアセンブリ１００１と他のアセンブリの間のインタラクションを容易にするようにしてもよい。例えば、プロセスアセンブリ１００１は、無線通信モジュールを含み、これらによって無線通信アセンブリ１００３とプロセスアセンブリ１００１の間のインタラクションを容易にするようにしてもよい。
【０１９７】
メモリ１００２は、各種類のデータを記憶することにより装置１０００の操作を支援するように構成される。これらのデータの例は、装置１０００において操作されるいずれのアプリケーションプログラム又は方法の命令、健康データ、時間データ、位置データ、ジェスチャー等を含む。メモリ１００２は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１９８】
無線通信アセンブリ１００３は、装置１０００と他のデバイスの間の無線形態の通信を提供する。装置１０００は、通信規格に基づいた無線ネットワークに接続されてもよいし、ＷｉＦｉ、ブルートゥース、赤外線を含むが、これらに制限されない。一例示的な実施例において、無線通信アセンブリ１００３は、ウェアラブルデバイスにより収集した健康データを家庭用メディアプレーヤデバイスに送信することにより、家庭用メディアプレーヤデバイスが当該健康データを表示するようにする。一例示的な実施例において、無線通信アセンブリ１００３は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１９９】
センサアセンブリ１００４は、装置１０００に各方面の状態に対する評価を提供し、またユーザの健康データを収集するための一つ以上のセンサを含む。例えば、センサアセンブリ１００４は、装置１０００のＯＮ／ＯＦＦ状態、アセンブリの相対的な位置決めを検出できる。また、センサアセンブリ１００４は、装置１０００、或は装置１０００一つのアセンブリの位置変更、ユーザと装置１０００とが接触しているか否か、装置１０００の方位、又は加速／減速、装置１０００の温度の変化を検出できる。センサアセンブリ１００４は、何れの物理的接触がない状態にて付近の物体の存在を検出するための近接センサを含んでもよい。センサアセンブリ１００４は、ユーザの健康データを収集するための健康データセンサを含んでもよい。センサアセンブリ１００４は、ユーザのジェスチャーを収集するためのジェスチャーセンサを、さらに含んでもよい。いくつかの実施例において、当該センサアセンブリ１００４は、加速度センサ、ジャイロセンサ、磁気センサ、圧力センサ、温度センサ、歩数計、心拍数センサ、電子コンパスセンサなどのセンサを、さらに備えてもよい。
【０２００】
例示的な実施例において、装置１０００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０２０１】
例示的な実施例において、さらに、命令を含むコンピュータ読取り可能な非一時的な記録媒体、例えば命令を含むメモリ１００２を提供しており、装置１０００のプロセッサ１０１０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０２０２】
コンピュータ読取り可能な非一時的な記録媒体は、当該記録媒体中の命令が装置１０００のプロセッサによって実行される際に、装置１０００に上記の健康データ表示方法を実行させることができる。
【０２０３】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０２０４】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【図１】
2016533582.tif 000003
【図２】
2016533582.tif 000004
【図３】
2016533582.tif 000005
【図４Ａ】
2016533582.tif 000006
【図４Ｂ】
2016533582.tif 000007
【図４Ｃ】
2016533582.tif 000008
【図４Ｄ】
2016533582.tif 000009
【図４Ｅ】
2016533582.tif 000010
【図４Ｆ】
2016533582.tif 000011
【図５】
2016533582.tif 000012
【図６】
2016533582.tif 000013
【図７】
2016533582.tif 000014
【図８】
2016533582.tif 000015
【図９】
2016533582.tif 000016
【図１０】
2016533582.tif 000017
【手続補正書】
【提出日】平成27年1月15日(2015.1.15)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１４１０３４４６３４.９であって、出願日が２０１４年７月１８日である中国特許出願に基づいて優先権を主張し、当該中国特許出願のすべての内容を援用するようにする。
【技術分野】
【０００２】
本発明は、データ表示分野に関し、特に、健康データ表示方法、装置、プログラム、及び記録媒体に関する。
【背景技術】
【０００３】
例えば、スマートブレスレット、スマートウォッチのようなウェアラブルデバイスは、現在の新興の電子機器である。ここで、ウェアラブルデバイスは、主に、ユーザの健康データを収集するためのデバイスである。
【０００４】
ほとんどのウェアラブルデバイスにはディスプレイがないため、関連技術では、ウェアラブルデバイスは、ＵＳＢ（Ｕｎｉｖｅｒｓａｌ Ｓｅｒｉａｌ Ｂｕｓ）データ回線を利用してコンピュータと接続してから、コンピュータにインストールされているアプリケーションを利用してウェアラブルデバイス中の健康データ読み込んで表示する必要がある。
【０００５】
発明者は、本発明を実現する過程において、上記の方法には少なくとも以下の欠点が存在することを発見した。即ち、上記の表示方法は、ユーザによりデータ回線を利用してウェアラブルデバイスとコンピュータとを接続した後にのみ、ウェアラブルデバイス中の健康データを表示することができるため、操作過程が煩雑で利用効率がより低い。
【発明の概要】
【０００６】
関連技術でのユーザによりデータ回線を利用してウェアラブルデバイスとコンピュータとを接続した後にのみ、ウェアラブルデバイス中の健康データを表示できるため、操作過程が煩雑で利用効率がより低い問題を解決するために、本発明に係る実施例は健康データ表示方法、装置、プログラム、及び記録媒体を提供する。前記の技術案は以下のとおりである。
【０００７】
本発明に係る実施例の第１の態様によると、ウェアラブルデバイスに用いられる健康データ表示方法を提供する。前記方法は、
ユーザの健康データを収集するステップと、
家庭用メディアプレーヤデバイスとの無線接続を確立するステップと、
前記無線接続を用いて、前記健康データを受信して表示するための前記家庭用メディアプレーヤデバイスに、前記健康データを送信するステップと
を含む。
【０００８】
一実施例において、前記家庭用メディアプレーヤデバイスとの無線接続を確立するステップは、
前記家庭用メディアプレーヤデバイスとの無線接続をダイレクトに確立するステップ、
或は、
バインディングされた移動端末を利用して、前記家庭用メディアプレーヤデバイスとの無線接続を確立するステップ
を含む。
【０００９】
一実施例において、前記方法は、
起動トリガ条件を満たすか否かを検出するステップと、
前記起動トリガ条件を満たす場合、起動命令が受信された後に運行状態に入る前記家庭用メディアプレーヤデバイスに、起動命令を送信するステップと
を、さらに含み、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む。
【００１０】
一実施例において、前記方法は、
シャットダウントリガ条件を満たすか否かを検出するステップと、
前記シャットダウントリガ条件を満たす場合、シャットダウン命令が受信された後に休止状態、或は、シャットダウン状態に入る前記家庭用メディアプレーヤデバイスに、前記シャットダウン命令を送信するステップと
を、さらに含み、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む。
【００１１】
一実施例において、前記方法は、
前記家庭用メディアプレーヤデバイスとのバインディング関係を予め確立するステップ
をさらに含む。
【００１２】
一実施例において、前記家庭用メディアプレーヤデバイスとのバインディング関係を予め確立するステップは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ
を含む。
【００１３】
本発明に係る実施例の第２の態様によると、家庭用メディアプレーヤデバイスに用いられる健康データ表示方法を提供する。前記方法は、
ウェアラブルデバイスとの無線接続を確立するステップと、
前記無線接続を用いて、前記ウェアラブルデバイスが送信したユーザの健康データを受信するステップと、
前記健康データを表示するステップと
を含む。
【００１４】
一実施例において、前記ウェアラブルデバイスとの無線接続を確立するステップは、
前記ウェアラブルデバイスとの無線接続をダイレクトに確立するステップ、
或は、
前記ウェアラブルデバイスとバインディングされた移動端末を利用して、前記ウェアラブルデバイスとの無線接続を確立するステップ
を含む。
【００１５】
一実施例において、前記方法は、
前記ウェアラブルデバイスが送信した起動命令を受信するステップと、
前記起動命令に従って運行状態に入るステップと
を、さらに含む。
【００１６】
一実施例において、前記方法は、
前記ウェアラブルデバイスが送信したシャットダウン命令を受信するステップと、
前記シャットダウン命令に従って休止状態、或は、シャットダウン状態に入るステップと
を、さらに含む。
【００１７】
一実施例において、前記健康データを表示するステップは、
サーバに前記健康データをアップロードし、前記サーバから過去の健康データを取得するステップと、
取得された前記過去の健康データと前記健康データとを統合して表示するステップと
を含む。
【００１８】
一実施例において、前記方法は、
前記ウェアラブルデバイスとバインディング関係が確立されたか否かを検出するステップと、
前記ウェアラブルデバイスとバインディング関係が確立された場合、前記ウェアラブルデバイスとの無線接続を確立するステップを実行するステップと
を、さらに含む。
【００１９】
一実施例において、前記方法は、
前記ウェアラブルデバイスとの前記バインディング関係を予め確立するステップ
を、さらに含む。
【００２０】
一実施例において、前記ウェアラブルデバイスとのバインディング関係を予め確立するステップは、
家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信するステップ
を含む。
【００２１】
本発明に係る実施例の第３の態様によると、ウェアラブルデバイスに用いられる健康データ表示装置を提供する。当該装置は、
ユーザの健康データを収集するためのデータ収集モジュールと、
家庭用メディアプレーヤデバイスとの無線接続を確立するための接続確立モジュールと、
前記無線接続を用いて、前記健康データを受信して表示するための前記家庭用メディアプレーヤデバイスに、前記健康データを送信するためのデータ送信モジュールと
を備える。
【００２２】
一実施例において、前記接続確立モジュールは、
前記家庭用メディアプレーヤデバイスとの無線接続をダイレクトに確立するためのダイレクト確立ユニット、
或は、
バインディングされた移動端末を利用して、前記家庭用メディアプレーヤデバイスとの無線接続を確立するためのバインディング確立ユニット
を備える。
【００２３】
一実施例において、前記装置は、
起動トリガ条件を満たすか否かを検出するための第１検出モジュールと、
前記起動トリガ条件を満たす場合、起動命令が受信された後に運行状態に入る前記家庭用メディアプレーヤデバイスに、起動命令を送信するための第１送信モジュールと
をさらに備え、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む。
【００２４】
一実施例において、前記装置は、
シャットダウントリガ条件を満たすか否かを検出するための第２検出モジュールと、
前記シャットダウントリガ条件を満たす場合、前記シャットダウン命令が受信された後に休止状態、或は、シャットダウン状態に入る前記家庭用メディアプレーヤデバイスに、シャットダウン命令を送信するための第２送信モジュールと
を、さらに備え、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む。
【００２５】
一実施例において、前記装置は、
前記家庭用メディアプレーヤデバイスとのバインディング関係を予め確立するためのバインディング関係確立モジュール
をさらに備える。
【００２６】
一実施例において、
前記バインディング関係確立モジュールは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
前記バインディング関係確立モジュール、前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信する。
【００２７】
本発明に係る実施例の第４の態様によると、家庭用メディアプレーヤデバイスに用いられる健康データ表示装置を提供する。当該装置は、
ウェアラブルデバイスとの無線接続を確立するための接続確立モジュールと、
前記無線接続を用いて、前記ウェアラブルデバイスが送信したユーザの健康データを受信するためのデータ受信モジュールと、
前記健康データを表示するためのデータ表示モジュールと
を備える。
【００２８】
一実施例において、前記接続確立モジュールは、
前記ウェアラブルデバイスとの無線接続をダイレクトに確立するためのダイレクト確立ユニット、
或は、
前記ウェアラブルデバイスとバインディングされた移動端末を利用して、前記ウェアラブルデバイスとの無線接続を確立するためのバインディング確立ユニット
を備える。
【００２９】
一実施例において、前記装置は、
前記ウェアラブルデバイスが送信した起動命令を受信するための第１受信モジュールと、
前記起動命令に従って運行状態に入るための第１進入モジュールと
を、さらに備える。
【００３０】
一実施例において、前記装置は、
前記ウェアラブルデバイスが送信したシャットダウン命令を受信するための第２受信モジュールと、
前記シャットダウン命令に従って休止状態、或は、シャットダウン状態に入る第２進入モジュールと
を、さらに備える。
【００３１】
一実施例において、前記データ表示モジュールは、
サーバに前記健康データをアップロードし、前記サーバから過去の健康データを取得するためのアップロード取得ユニットと、
取得された前記過去の健康データと前記健康データとを統合して表示するための統合表示ユニットと
を備える。
【００３２】
一実施例において、前記装置は、
前記ウェアラブルデバイスとバインディング関係が確立されたか否かを検出し、前記ウェアラブルデバイスとバインディング関係が確立された場合、前記接続確立モジュールをトリガしてウェアラブルデバイスとの無線接続を確立するためのバインディング関係検出モジュール
を、さらに備える。
【００３３】
一実施例において、前記装置は、
前記ウェアラブルデバイスとの前記バインディング関係を予め確立するためのバインディング関係確立モジュール
を、さらに備える。
【００３４】
一実施例において、
前記バインディング関係確立モジュールは、家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信する。
【００３５】
本発明に係る実施例の第５の態様によると、健康データ表示装置を提供する。当該装置は、
プロセッサと、
前記プロセッサが実行可能な命令を記憶するためのメモリと
を備え、
前記プロセッサは、
ユーザの健康データを収集し、
家庭用メディアプレーヤデバイスとの無線接続を確立し、
前記無線接続を用いて、前記健康データを受信して表示するための前記家庭用メディアプレーヤデバイスに、前記健康データを送信する
ように構成される。
【００３６】
本発明に係る実施例の第６の態様によると、健康データ表示装置を提供する。当該装置は、
プロセッサと、
前記プロセッサが実行可能な命令を記憶するためのメモリと
を備え、
前記プロセッサは、
ウェアラブルデバイスとの無線接続を確立し、
前記無線接続を用いて、前記ウェアラブルデバイスが送信したユーザの健康データを受信し、
前記健康データを表示する
ように構成される。
本発明に係る実施例の第７の態様によると、プロセッサに実行されることにより、上記の健康データ表示方法を実現するプログラムを提供する。
本発明の実施例の第８の態様によると、上記プログラムが記録された記録媒体を提供する。
【００３７】
本発明の実施例が提供する技術方案の有益な効果は以下のとおりである。
ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【００３８】
以上の統括な記述と以下の細部記述は、ただ例示的なものであり、本発明を制限するものではないと、理解するべきである。
【図面の簡単な説明】
【００３９】
ここでの図面は、明細書に合併されて本明細書の一部を構成して、本発明に合致する実施例を示すためのものであり、明細書と一緒に本発明の原理を解析する。
【００４０】
【図１】本発明に係る各実施例によって提供する健康データ表示方法に関する一実施環境の構成を示す模式図である。
【図２】一例示的な実施例に係る健康データ表示方法を示す方法のフローチャートである。
【図３】もう一例示的な実施例に係る健康データ表示方法を示す方法のフローチャートである。
【図４Ａ】さらにもう一例示的な実施例に係る健康データ表示方法を示す方法のフローチャートである。
【図４Ｂ】図４Ａに示す実施例によって提供する一健康データ表示方法の模式図である。
【図４Ｃ】図４Ａに示す実施例によって提供するもう一健康データ表示方法の模式図である。
【図４Ｄ】図４Ａに示す実施例によって提供するウェアラブルデバイスと家庭用メディアプレーヤデバイスとの間のバインディング関係を確立するための一方法の模式図である。
【図４Ｅ】図４Ａに示す実施例によって提供するウェアラブルデバイスと家庭用メディアプレーヤデバイスとの間のバインディング関係を確立するためのもう一方法の模式図である。
【図４Ｆ】図４Ａに示す実施例によって提供するウェアラブルデバイスと家庭用メディアプレーヤデバイスとの間のバインディング関係を確立するためのさらにもう一方法の模式図である。
【図５】一例示的な実施例に係る健康データ表示装置を示すブロック図である。
【図６】もう一例示的な実施例に係る健康データ表示装置を示すブロック図である。
【図７】さらにもう一例示的な実施例に係る健康データ表示装置を示すブロック図である。
【図８】さらに別の一例示的な実施例に係る健康データ表示装置を示すブロック図である。
【図９】一例示的な実施例に係る健康データを表示するための装置を示すブロック図である。
【図１０】一例示的な実施例に係る健康データを表示するための装置を示すブロック図である。
【００４１】
上記図面によって本発明の明確な実施例を例示し、以下にさらに詳しく記述する。これらの図面と文字記述は本発明の旨の範囲を何らの形態によって制限するものではなく、特定の実施例を参照することによって、本技術分野の当業者に本発明の概念を理解させるためのものである。
【発明を実施するための形態】
【００４２】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００４３】
図１を参照すると、本発明に係る各実施例によって提供する健康データ表示方法に関する実施環境の構成を示している。当該実施環境には、ウェアラブルデバイス１２０、家庭用メディアプレーヤデバイス１４０、及びサーバ１６０が含まれている。ここで、ウェアラブルデバイス１２０と家庭用メディアプレーヤデバイス１４０との間は、接続されている。また、家庭用メディアプレーヤデバイス１４０とサーバ１６０との間は、接続されている。ウェアラブルデバイス１２０は、さらに、サーバ１６０と接続されている（図１に図示していない）。 
【００４４】
ウェアラブルデバイス１２０は、健康データ収集機能を有する電子機器であってもよい。
【００４５】
当該電子機器は、スマートブレスレット、スマートウォッチ、等であってもよい。
【００４６】
ウェアラブルデバイス１２０と家庭用メディアプレーヤデバイス１４０との間は、無線ネットワークを介して接続されている。無線ネットワークを介する接続は、ＷＩＦＩ（Ｗｉｒｅｌｅｓｓ Ｆｉｄｅｌｉｔｙ、ワイヤレス?フィディリティー）接続、ブルートゥース接続、或は、赤外線接続を含むが、これに制限されない。
【００４７】
家庭用メディアプレーヤデバイス１４０は、健康データの受信機能と表示機能を有する電子機器であってもよい。当該電子機器は、プロジェクター、スマートテレビ、或は、液晶モニターであってもよい。
【００４８】
家庭用メディアプレーヤデバイス１４０とサーバ１６０との間は、有線ネットワーク、或は、無線ネットワークを介して接続されている。
【００４９】
サーバ１６０は、一つのサーバ、複数のサーバから構成されたサーバークラスタ、或は、一つのクラウドコンピューティング・サービスセンターであってもよい。当該サーバ１６０は、家庭用メディアプレーヤデバイス１４０によりアップロードした健康データを受信し、家庭用メディアプレーヤデバイス１４０に既にアップロードした健康データを提供できる。
【００５０】
図２を参照すると、一例示的な実施例に係る健康データ表示方法を示す方法のフローチャートを示している。当該健康データ表示方法を図１に示されたウェアラブルデバイス１２０に適用する例を挙げて、本実施例を説明する。図２を参照すると、当該方法の流れは、具体的に以下のステップを含む。
【００５１】
ステップ２０１において、ユーザの健康データを収集する。
【００５２】
ステップ２０２において、家庭用メディアプレーヤデバイスとの無線接続を確立する。
【００５３】
ステップ２０３において、当該無線接続を用いて、当該健康データを受信して表示するための当該家庭用メディアプレーヤデバイスに、当該健康データを送信する。
【００５４】
上記のように、本発明に係る実施例によって提供する健康データ表示方法によると、ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【００５５】
図３を参照すると、もう一例示的な実施例に係る健康データ表示方法を示す方法のフローチャートを示している。当該健康データ表示方法を図１に示された家庭用メディアプレーヤデバイス１４０に適用する例を挙げて、本実施例を説明する。図３を参照すると、当該方法の流れは、具体的に以下のステップを含む。
【００５６】
ステップ３０１において、ウェアラブルデバイスとの無線接続を確立する。
【００５７】
ステップ３０２において、当該無線接続を用いて、当該ウェアラブルデバイスが送信したユーザの健康データを受信する。
【００５８】
ステップ３０３において、当該健康データを表示する。
【００５９】
上記のように、本発明に係る実施例によって提供する健康データ表示方法によると、ウェアラブルデバイスとの無線接続を確立し、当該無線接続を用いてウェアラブルデバイスが送信したユーザの健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【００６０】
図４Ａを参照すると、さらにもう一例示的な実施例に係る健康データ表示方法を示す方法のフローチャートを示されている。当該健康データ表示方法を図１に示された実施環境に適用する例を挙げて、本実施例を説明する。図４Ａを参照すると、当該方法の流れは、具体的に以下のステップを含む。
【００６１】
ステップ４０１において、ウェアラブルデバイスにより、ユーザの健康データを収集する。
【００６２】
本発明に係る実施例において、ユーザがウェアラブルデバイスを装着した場合、当該ウェアラブルデバイスはユーザの健康データを収集できることになる。即ち、ウェアラブルデバイスの中には、例えば、重力加速度センサ、歩数計、心拍数センサ、ジャイロセンサ、電子コンパスセンサのような、複数のセンサが設置されている。ウェアラブルデバイスは、センサを用いてユーザの健康データを収集する。
【００６３】
ここで、当該健康データは、心拍数、脈拍数、呼吸数、体温、血圧、血糖、血の中の酸素、脂肪含量、等を含むが、これらに制限されない。
【００６４】
ここで、当該ウェアラブルデバイスには、当該ユーザの健康データを収集するための健康データセンサが配置されている。
【００６５】
ステップ４０２において、ウェアラブルデバイスにより、家庭用メディアプレーヤデバイスに、無線接続確立の要求を送信する。
【００６６】
ウェアラブルデバイスは、収集されたユーザの健康データを表示する必要がある場合、家庭用メディアプレーヤデバイスに無線接続確立の要求を送信する。オプションとして、ウェアラブルデバイスは、当該無線接続確立の要求の中に自デバイスのＩＤを付加してもよい。
【００６７】
ここで、当該ウェアラブルデバイスは、家庭用メディアプレーヤデバイスに無線接続確立の要求をダイレクトに送信してもよいし、自デバイスとバインディングされた移動端末を用いて家庭用メディアプレーヤデバイスに無線接続確立の要求を送信してもよい。
【００６８】
ここで、当該無線接続は、ＷＩＦＩ接続、ブルートゥース接続、或は、赤外線接続を含むが、これらに制限されない。
【００６９】
ステップ４０３において、家庭用メディアプレーヤデバイスにより、ウェアラブルデバイスが送信した無線接続確立の要求を受信する。
【００７０】
家庭用メディアプレーヤデバイスは、スマートテレビであってもよい。スマートテレビは、ウェアラブルデバイスが送信した無線接続確立の要求を受信できる。
【００７１】
ステップ４０４において、家庭用メディアプレーヤデバイスにより、ウェアラブルデバイスとのバインディング関係が確立されているか否かを検出する。
【００７２】
ここで、当該バインディング関係は、家庭用メディアプレーヤデバイスとウェアラブルデバイスとの間の相互信頼の関係を示すためのものである。
【００７３】
家庭用メディアプレーヤデバイスは、ウェアラブルデバイスが送信した無線接続確立の要求が受信された場合、自デバイスとウェアラブルデバイスと間にバインディング関係が確立されているか否かを検出して、検出結果に基づいてウェアラブルデバイスとの無線接続を確立するか否かを判断する。
【００７４】
オプションとして、家庭用メディアプレーヤデバイスは、当該無線接続確立の要求中に付加されたデバイスＩＤと自デバイスがメンテナンスしているデバイスＩＤとを比較することにより、当該要求中に付加されたＩＤと自デバイスがメンテナンスしているＩＤとが同一であるか否かに基づいて、ウェアラブルデバイスとのバインディング関係が確立されているか否かを検出する。
【００７５】
ステップ４０５において、家庭用メディアプレーヤデバイスとウェアラブルデバイスと間にバインディング関係が確立されている場合、家庭用メディアプレーヤデバイスは、ウェアラブルデバイスと間の無線接続を確立する。
【００７６】
ここで、ウェアラブルデバイスが家庭用メディアプレーヤデバイスに無線接続確立の要求をダイレクトに送信できるデバイスである場合には、家庭用メディアプレーヤデバイスは、ウェアラブルデバイスとの無線接続をダイレクトに確立する。一方、ウェアラブルデバイスは、自デバイスとバインディングされた移動端末を利用して家庭用メディアプレーヤデバイスに無線接続確立の要求を送信できるデバイスである場合には、家庭用メディアプレーヤデバイスは、ウェアラブルデバイスとバインディングされた移動端末を利用して、ウェアラブルデバイスとの無線接続を確立する。
【００７７】
オプションとして、家庭用メディアプレーヤデバイスは、当該無線接続の確立に成功した後に、ウェアラブルデバイスに応答を返送して、当該無線接続の確立に成功した旨を通知してもよい。
【００７８】
ステップ４０６において、ウェアラブルデバイスは、起動トリガ条件を満たすか否かを検出する。
【００７９】
ウェアラブルデバイスは、家庭用メディアプレーヤデバイスが返送した応答が受信された場合、起動トリガ条件を満たすか否かを検出する。
【００８０】
ここで、当該起動トリガ条件は、第１指定タイミングに達したこと、収集された身体ジェスチャーが第１ジェスチャーに合致すること、或は、ウェアラブルデバイスと家庭用メディアプレーヤデバイスとの間の距離が所定の距離未満であることを含むが、これらに制限されない。
【００８１】
ここで、経験によって当該第１指定タイミングを特定してもよい。ここで、その特定の原則は、ウェアラブルデバイスにより信頼的な健康データを収集できることを保証する。ウェアラブルデバイスは、一般的に、ユーザの空腹の状態に、より信頼的な健康データを収集できる。それで、当該第１指定タイミングを毎日の朝の８時と特定してもよいし、毎日の早の７時と特定してもよい。
【００８２】
オプションとして、ウェアラブルデバイスは、自デバイスにインストールされている時間を表示するためのアプリケーションを用いて、第１指定タイミングに達したか否かを検出してもよい。
【００８３】
ここで、当該第１ジェスチャーは、ウェアラブルデバイスとインタラクティブできるジェスチャーである。例えば、当該第１ジェスチャーは、ユーザの丸をかくジェスチャーであってもよい。
【００８４】
オプションとして、ウェアラブルデバイスは、自デバイスに配置されているジェスチャーセンサを用いて、ユーザの身体ジェスチャーを収集して、収集された身体ジェスチャーと自デバイスがメンテナンスしている身体ジェスチャーとを比較することにより、第１ジェスチャーに合致するか否かを検出してもよい。
【００８５】
ここで、経験によって当該所定の距離を特定してもよい。その特定の原則は、ウェアラブルデバイスと家庭用メディアプレーヤデバイスとの間で信頼的にデータ通信を行うことができることを保証する。
【００８６】
オプションとして、ウェアラブルデバイスは、自デバイスに配置された短距離無線通信アセンブリを用いて、ウェアラブルデバイスと家庭用メディアプレーヤデバイスとの間の距離が所定の距離未満であるか否かを検出してもよい。例えば、ウェアラブルデバイスは、ブルートゥース測位機能を利用して、ウェアラブルデバイスと家庭用メディアプレーヤデバイスとの間の距離が所定の距離未満であるか否かを検出してもよい。或は、ウェアラブルデバイスは、赤外線測位機能を利用して、ウェアラブルデバイスと家庭用メディアプレーヤデバイスとの間の距離が所定の距離未満であるか否かを検出してもよい。
【００８７】
オプションとして、ウェアラブルデバイスは、自デバイスが支援する短距離無線通信技術によって、ウェアラブルデバイスと家庭用メディアプレーヤデバイスとの間の距離が所定の距離未満であるか否かを検出してもよい。例えば、ウェアラブルデバイスは、ＷＩＦＩ通信技術によって、ウェアラブルデバイスと家庭用メディアプレーヤデバイスとの間の距離が所定の距離未満であるか否かを検出してもよい。
【００８８】
ウェアラブルデバイスは、時間が第１指定タイミングに達したことが検出された場合、或は、収集された身体ジェスチャーが第１ジェスチャーに合致することが検出された場合、或は、ウェアラブルデバイスと家庭用メディアプレーヤデバイスとの間の距離が所定の距離未満であることが検出された場合に、起動トリガ条件を満たすと検出する。
【００８９】
ステップ４０７において、ウェアラブルデバイスは、起動トリガ条件を満たす場合、家庭用メディアプレーヤデバイスに起動命令を送信する。
【００９０】
ウェアラブルデバイスは、起動トリガ条件を満たすことが検出された場合、家庭用メディアプレーヤデバイスに起動命令を送信して、家庭用メディアプレーヤデバイスが当該起動命令に従って運行状態に入るようにする。
【００９１】
例えば、スマートブレスレットは、毎日の朝の８時に、スマートテレビに起動命令を送信する。
【００９２】
ステップ４０８において、家庭用メディアプレーヤデバイスは、ウェアラブルデバイスが送信した起動命令を受信する。
【００９３】
ウェアラブルデバイスにより家庭用メディアプレーヤデバイスに起動命令を送信した後に、家庭用メディアプレーヤデバイスが当該起動命令を受信する。
【００９４】
ステップ４０９において、家庭用メディアプレーヤデバイスは、起動命令に従って、運行状態に入る。
【００９５】
家庭用メディアプレーヤデバイスは、ウェアラブルデバイスが送信した起動命令が受信された場合、当該起動命令に従って運行状態に入る。
【００９６】
オプションとして、家庭用メディアプレーヤデバイスは、運行状態に入る際に、ウェアラブルデバイスに応答を返送して、自デバイスがもう運行状態に入った旨を通知してもよい。
【００９７】
例えば、スマートテレビは、毎日の朝の８時に、ウェアラブルデバイスが送信した起動命令に従って運行状態に入る。
【００９８】
ステップ４１０において、ウェアラブルデバイスは、無線接続を用いて、家庭用メディアプレーヤデバイスに健康データを送信する。
【００９９】
ウェアラブルデバイスは、家庭用メディアプレーヤデバイスにより送信した応答が受信された場合、収集された健康データを、当該ウェアラブルデバイスと家庭用メディアプレーヤデバイスとの間の無線接続を用いて、家庭用メディアプレーヤデバイスに送信する。
【０１００】
ステップ４１１において、家庭用メディアプレーヤデバイスは、無線接続を用いて、ウェアラブルデバイスが送信したユーザの健康データを受信する。
【０１０１】
ウェアラブルデバイスにより、ウェアラブルデバイスと家庭用メディアプレーヤデバイスとの間の無線接続を用いて、収集された健康データを家庭用メディアプレーヤデバイスに送信した場合、家庭用メディアプレーヤデバイスは当該健康データを受信する。
【０１０２】
ステップ４１２において、家庭用メディアプレーヤデバイスは、健康データを表示する。
家庭用メディアプレーヤデバイスは、ウェアラブルデバイスが送信した健康データが受信された場合、当該健康データを表示する。
【０１０３】
オプションとして、ウェアラブルデバイスは、家庭用メディアプレーヤデバイスに健康データを送信する際に、当該健康データ中にユーザのアカウント番号を付加することにより、当家庭用メディアプレーヤデバイスが当該健康データを受信した後に、当該健康データに付加されたユーザのアカウント番号に基づいて、サーバから、当該ユーザのアカウント番号に対応する過去の健康データを取得して、受信された健康データを表示する同時に、当該過去の健康データも表示するようにしてもよい。
【０１０４】
オプションとして、家庭用メディアプレーヤデバイスは、受信された健康データと取得された過去の健康データとを統合して、表示してもよい。
【０１０５】
例えば、家庭用メディアプレーヤデバイスは、受信された健康データと取得された健康データとを図４Ｂに示された表形式に統合することにより、今回に受信された健康データと取得された過去の健康データとの比較関係をもっと明らかにして、ユーザが当該比較関係に基づいて、もっと明確に自分の健康状況を了解するようにしてもよい。
【０１０６】
さらに、例えば、家庭用メディアプレーヤデバイスは、受信された健康データと取得された健康データとを図４Ｃに示されたグラフの形式に統合することにより、今回に受信された健康データと取得された過去の健康データとの変動をもっと直観的に表示して、ユーザが当該グラフに基づいて、もっと直観的に自分の健康状況を了解するようにしてもよい。
【０１０７】
ステップ４１３において、ウェアラブルデバイスシャットは、ダウントリガ条件を満たすか否かを検出する。
【０１０８】
ここで、当該シャットダウントリガ条件は、第２指定タイミングに達したこと、収集された身体ジェスチャーが第２ジェスチャーに合致すること、或は、ウェアラブルデバイスと家庭用メディアプレーヤデバイスとの間の距離が所定の距離以上であることを含むが、これらに制限されない。
【０１０９】
ここで、経験によって当該第２指定タイミングを特定してもよい。ここで、その特定の原則は、ユーザが家庭用メディアプレーヤデバイスに表示された健康データをもう照会したことを保証する。
【０１１０】
オプションとして、ウェアラブルデバイスは、自デバイスにインストールされている時間を表示するためのアプリケーションを用いて、第１指定タイミングに達したか否かを検出してもよい。
【０１１１】
ここで、当該第２ジェスチャーは、ウェアラブルデバイスとインタラクティブできるジェスチャーである。例えば、当該第１ジェスチャーは、ユーザの横線をかくジェスチャー、ユーザの縦線をかくジェスチャー、或は、他のジェスチャーであってもよい。
【０１１２】
オプションとして、ウェアラブルデバイスは、自デバイスに配置されているジェスチャーセンサを用いて、ユーザの身体ジェスチャーを収集して、収集された身体ジェスチャーと自デバイスがメンテナンスしている身体ジェスチャーとを比較することにより、収集された身体ジェスチャーが第２ジェスチャーに合致するか否かを検出してもよい。
【０１１３】
ここで、経験によって当該所定の距離を特定してもよい。ここで、その特定の原則は、ウェアラブルデバイスと家庭用メディアプレーヤデバイスとの間で信頼的にデータ通信を行うことができることを保証する。
【０１１４】
オプションとして、ウェアラブルデバイスは、自デバイスに配置されている短距離無線通信アセンブリを用いて、ウェアラブルデバイスと家庭用メディアプレーヤデバイスとの間の距離が所定の距離以上であるか否かを検出してもよい。例えば、ウェアラブルデバイスは、ブルートゥース測位によって、ウェアラブルデバイスと家庭用メディアプレーヤデバイスとの間の距離が所定の距離以上であるか否かを検出してもよい。或は、ウェアラブルデバイスは、赤外線測位によって、ウェアラブルデバイスと家庭用メディアプレーヤデバイスとの間の距離が所定の距離以上であるか否かを検出してもよい。
【０１１５】
オプションとして、ウェアラブルデバイスは、さらに、自デバイスが支援する短距離無線通信技術によって、ウェアラブルデバイスと家庭用メディアプレーヤデバイスとの間の距離が所定の距離以上であるか否かを検出してもよい。例えば、ウェアラブルデバイスは、ＷＩＦＩ通信技術によって、ウェアラブルデバイスと家庭用メディアプレーヤデバイスとの間の距離が所定の距離以上であるか否かを検出してもよい。
【０１１６】
ウェアラブルデバイスは、時間が第２指定タイミングに達したことが検出された場合、或は、収集された身体ジェスチャーが第２ジェスチャーに合致することが検出された場合、或は、ウェアラブルデバイスと家庭用メディアプレーヤデバイスとの間の距離が所定の距離以上であることが検出された場合に、シャットダウントリガ条件を満たすと検出する。
【０１１７】
当該第２ジェスチャーは、上記の第１ジェスチャーと同一であってもよいし、上記の第１ジェスチャーと同一でないでもよいことを、説明する必要がある。当該第２ジェスチャーと第１ジェスチャーとが同一であると、現在、家庭用メディアプレーヤデバイスが休止状態、或は、シャットダウン状態にいる場合に、当該ジェスチャーが受信されたら、家庭用メディアプレーヤデバイスは運行状態に入る。現在、家庭用メディアプレーヤデバイスが運行状態にいる場合、当該ジェスチャーが受信されたら、家庭用メディアプレーヤデバイスは休止状態、或は、シャットダウン状態に入る。
【０１１８】
ステップ４１４において、シャットダウントリガ条件を満たす場合、ウェアラブルデバイスは、家庭用メディアプレーヤデバイスにシャットダウン命令を送信する。
【０１１９】
ウェアラブルデバイスは、シャットダウントリガ条件を満たすことが検出された場合、家庭用メディアプレーヤデバイスにシャットダウン命令を送信して、家庭用メディアプレーヤデバイスが当該シャットダウン命令に従って休止状態、或は、シャットダウン状態に入るようにする。
【０１２０】
ステップ４１５において、家庭用メディアプレーヤデバイスは、ウェアラブルデバイスが送信したシャットダウン命令を受信する。
【０１２１】
ウェアラブルデバイスが家庭用メディアプレーヤデバイスにシャットダウン命令を送信した後に、家庭用メディアプレーヤデバイスが当該シャットダウン命令を受信する。
【０１２２】
ステップ４１６において、家庭用メディアプレーヤデバイスは、シャットダウン命令に従って、休止状態、或は、シャットダウン状態に入る。
【０１２３】
家庭用メディアプレーヤデバイスは、ウェアラブルデバイスが送信したシャットダウン命令が受信された場合、当該シャットダウン命令に従って、休止状態、或は、シャットダウン状態に入る。
【０１２４】
上記のように、本発明に係る実施例によって提供する健康データ表示方法によると、ウェアラブルデバイスは、ユーザの健康データを収集する際に、家庭用メディアプレーヤデバイスに無線接続確立の要求を送信し、家庭用メディアプレーヤデバイスにより無線接続を確立した後に、家庭用メディアプレーヤデバイスに健康データを送信することにより、家庭用メディアプレーヤデバイスはウェアラブルデバイスが送信した健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１２５】
本発明に係る実施例によって提供する健康データ表示方法によると、ウェアラブルデバイスは、家庭用メディアプレーヤデバイスに健康データを送信する際に、当該健康データ中にユーザのアカウント番号を付加し、家庭用メディアプレーヤデバイスは、当該健康データを受信した際に、当該健康データをサーバにアップロードして、当該健康データに付加されたユーザのアカウント番号に基づいてサーバから当該ユーザのアカウント番号に対応する過去の健康データを取得して、当該健康データと過去の健康データを統合して表示する。このようにすることにより、ユーザが、もっと明確に、且つ直観的に、自分の健康状況を了解するようにした上で、サーバに保存したユーザの健康データの完全性を保証した。
【０１２６】
本発明に係る実施例によって提供する健康データ表示方法によると、家庭用メディアプレーヤデバイスは、ウェアラブルデバイスが送信した接続確立要求が受信された際に、自デバイスとウェアラブルデバイスとのバインディング関係が確立されているか否かを検出して、バインディング関係が確立されていると、ウェアラブルデバイスとの間の無線接続を確立することにより、無線接続確立の有效性を保証した。
【０１２７】
本発明に係る実施例によって提供する健康データ表示方法によると、ウェアラブルデバイスは、起動トリガ条件を満たすことが検出された際に、家庭用メディアプレーヤデバイスに起動命令を送信して、家庭用メディアプレーヤデバイスが、当該起動命令に従って運行状態に入るようにし、さらにウェアラブルデバイスが送信した健康データを受信するようにする。このようにすることにより、家庭用メディアプレーヤデバイスが健康データを正確に受信することを保証した。さらに、ウェアラブルデバイスは、シャットダウントリガ条件を満たすことが検出された際に、家庭用メディアプレーヤデバイスにシャットダウン命令を送信して、家庭用メディアプレーヤデバイスが、当該シャットダウン命令に従って休止状態、或は、シャットダウン状態に入るようにする。このようにすることにより、ユーザの健康データの安全性を保証した。
【０１２８】
本発明に係る実施例によって提供する健康データ表示方法によると、ウェアラブルデバイスは、第１指定タイミングに達したことが検出された場合、収集された身体ジェスチャーが第１ジェスチャーに合致することが検出された場合、或は、ウェアラブルデバイスと家庭用メディアプレーヤデバイスとの間の距離が所定の距離未満であることがが検出された場合に、家庭用メディアプレーヤデバイスに起動命令を送信し、逆に、第２指定タイミングに達したことが検出された場合、収集された身体ジェスチャーが第２ジェスチャーに合致することが検出された場合、或は、ウェアラブルデバイスと家庭用メディアプレーヤデバイスとの間の距離が所定の距離以上であることが検出された場合に、家庭用メディアプレーヤデバイスにシャットダウン命令を送信する。このようにすることにより、トリガ起動条件のトリガ方法、及びシャットダウン条件のトリガ方法を豊富化した。
【０１２９】
上記のステップ４０３から４０５において、ウェアラブルデバイスは、家庭用メディアプレーヤデバイスとの無線接続を確立される前に、まず、ウェアラブルデバイスと家庭用メディアプレーヤデバイスとに対してバインディングする必要がある。
【０１３０】
本発明に係る実施例において、ウェアラブルデバイスと家庭用メディアプレーヤデバイスとに対してバインディングする方法は、以下の三つのケースがある。
【０１３１】
第１のケースにおいて、ウェアラブルデバイスによりウェアラブルデバイスＩＤとユーザのアカウント番号とを、サーバに送信する同時に、家庭用メディアプレーヤデバイスも家庭用メディアプレーヤデバイスＩＤとユーザのアカウント番号とをサーバに送信することにより、サーバは、ウェアラブルデバイスＩＤ、家庭用メディアプレーヤデバイスＩＤ、及びユーザのアカウント番号に基づいて、ウェアラブルデバイス、家庭用メディアプレーヤデバイス、及びユーザのアカウント番号に対して、バインディングを行う。
【０１３２】
第２のケースにおいて、ウェアラブルデバイスにより、バインディングされた移動端末を利用して、ウェアラブルデバイスＩＤとユーザのアカウント番号とを、サーバに送信する同時に、家庭用メディアプレーヤデバイスも、家庭用メディアプレーヤデバイスＩＤとユーザのアカウント番号とを、サーバに送信することにより、サーバは、ウェアラブルデバイスＩＤ、家庭用メディアプレーヤデバイスＩＤ、及びユーザのアカウント番号に基づいて、ウェアラブルデバイス、家庭用メディアプレーヤデバイス、及びユーザのアカウント番号に対して、バインディングを行う。
【０１３３】
第３のケースにおいて、ウェアラブルデバイスにより、家庭用メディアプレーヤデバイスを利用して、ウェアラブルデバイスＩＤとユーザのアカウント番号とを、サーバに送信する同時に、家庭用メディアプレーヤデバイスも家庭用メディアプレーヤデバイスＩＤとユーザのアカウント番号とをサーバに送信することにより、サーバは、ウェアラブルデバイスＩＤ、家庭用メディアプレーヤデバイスＩＤ、及びユーザのアカウント番号に基づいて、ウェアラブルデバイス、家庭用メディアプレーヤデバイス、及びユーザのアカウント番号に対して、バインディングを行う。
【０１３４】
上記の三つのケースにおいて、ウェアラブルデバイスＩＤは、一つのウェアラブルデバイスを一意に識別するためのものであり、家庭用メディアプレーヤデバイスＩＤは、一つの家庭用メディアプレーヤデバイスを一意に識別するためのものである。ウェアラブルデバイスによりサーバに送信したユーザのアカウント番号と、家庭用メディアプレーヤデバイスによりサーバに送信したユーザのアカウント番号とは、同一であってもよいし、同一でないでもよい。以下、図面の形式を参照しながら、上記の三つのケースを簡単に説明する。
【０１３５】
図４Ｄを参照すると、図４Ａに示す実施例によって提供するウェアラブルデバイスと家庭用メディアプレーヤデバイスとの間のバインディング関係を確立するための一方法の模式図を示している。当該図４Ｄに示された簡単な例において、家庭用メディアプレーヤデバイスＩＤは「ＺＮＤＳ」であり、家庭用メディアプレーヤデバイスのユーザのアカウント番号は「ｘｉａｏｍｉｙｏｎｇｈｕ」であり、ウェアラブルデバイスＩＤは「ＺＮＳＨ IＤ ５８４７」である。ウェアラブルデバイス１２０により自デバイスのデバイスＩＤである「ＺＮＳＨ IＤ ５８４７」をサーバ１６０送信する同時に、家庭用メディアプレーヤデバイス１４０により自デバイスのデバイスＩＤである「ＺＮＤＳ」、及び自デバイスにログインしたユーザのアカウント番号である「ｘｉａｏｍｉｙｏｎｇｈｕ」をサーバ１６０に送信することにより、サーバ１６０は、ウェアラブルデバイスＩＤ、家庭用メディアプレーヤデバイスＩＤ、及び家庭用メディアプレーヤデバイスのユーザのアカウント番号が受信された際に、当該ウェアラブルデバイス１２０、家庭用メディアプレーヤデバイス１４０、及びユーザのアカウント番号「ｘｉａｏｍｉｙｏｎｇｈｕ」に対して、バインディングを行う。ここで、サーバ１６０は、当該三つの情報を家庭用メディアプレーヤデバイス１４０のディスプレイに表示させて、ユーザが照会するようにして、ユーザの操作に基づいてバインディングを行ってもよい。図４Ｄに示したように、サーバ１６０は、ユーザにより家庭用メディアプレーヤデバイス１４０のスクリーンにおける「はい」を選択した際に、当該ウェアラブルデバイス１２０、家庭用メディアプレーヤデバイス１４０、及びユーザのアカウント番号「ｘｉａｏｍｉｙｏｎｇｈｕ」に対して、バインディングする操作を実行する。
【０１３６】
図４Ｅを参照すると、図４Ａに示す実施例によって提供するウェアラブルデバイスと家庭用メディアプレーヤデバイスとの間のバインディング関係を確立するためのもう一方法の模式図を示している。当該図４Ｅに示された簡単な例において、家庭用メディアプレーヤデバイスＩＤは「ＺＮＤＳ」であり、当該家庭用メディアプレーヤデバイスのユーザのアカウント番号は「ｘｉａｏｍｉｙｏｎｇｈｕ」であり、ウェアラブルデバイスＩＤは「ＺＮＳＨ IＤ ５８４７」である。ウェアラブルデバイス１２０と移動端末１８０との間には、すでに、バインディング関係が予め確立されている。バインディングする具体的な過程は、図４Ｄに示された過程と同一、或は、類似であるため、ここでは、繰り返して説明しない。ウェアラブルデバイス１２０により、移動端末１８０を用いて自デバイスのデバイスＩＤである「ＺＮＳＨ IＤ ５８４７」をサーバ１６０に送信する。実現可能な一形態において、ウェアラブルデバイス１２０によりまず自デバイスのデバイスＩＤである「ＺＮＳＨ IＤ ５８４７」を移動端末１８０を送信して、移動端末１８０によりウェアラブルデバイスＩＤである「ＺＮＳＨ IＤ ５８４７」をサーバ１６０に送信する。実現可能なもう一形態において、ウェアラブルデバイス１２０は移動端末１８０に命令のみ送信して、移動端末１８０がサーバ１６０にウェアラブルデバイスＩＤを送信するようにすることにより、移動端末１８０により自端末に保存されているウェアラブルデバイスＩＤである「ＺＮＳＨ IＤ ５８４７」をサーバ１６０に送信する。ウェアラブルデバイス１２０により移動端末１８０を用いてサーバ１６０にウェアラブルデバイスＩＤを送信する同時に、家庭用メディアプレーヤデバイス１４０により自デバイスのデバイスＩＤである「ＺＮＤＳ」、及び自デバイスにログインしたユーザのアカウント番号である「ｘｉａｏｍｉｙｏｎｇｈｕ」をサーバ１６０に送信することにより、サーバ１６０は、ウェアラブルデバイスＩＤ、家庭用メディアプレーヤデバイスＩＤ、及び家庭用メディアプレーヤデバイスのユーザのアカウント番号が受信された際に、当該ウェアラブルデバイス１２０、家庭用メディアプレーヤデバイス１４０、及びユーザのアカウント番号である「ｘｉａｏｍｉｙｏｎｇｈｕ」に対して、バインディングを行う。ここで、サーバ１６０は、当該三つの情報を家庭用メディアプレーヤデバイス１４０のディスプレイに表示させて、ユーザが照会するようにして、ユーザの操作に基づいてバインディングを行う。図４Ｅに示されたように、サーバ１６０は、ユーザにより家庭用メディアプレーヤデバイス１４０のスクリーンにおける「はい」を選択した際に、当該ウェアラブルデバイス１２０、家庭用メディアプレーヤデバイス１４０、及びユーザのアカウント番号である「ｘｉａｏｍｉｙｏｎｇｈｕ」に対して、バインディングする操作を実行する。
【０１３７】
図４Ｆを参照すると、図４Ａに示す実施例によって提供するウェアラブルデバイスと家庭用メディアプレーヤデバイスとの間のバインディング関係を確立するためのさらにもう一方法の模式図を示している。当該図４Ｆに示された簡単な例において、家庭用メディアプレーヤデバイスＩＤは「ＺＮＤＳ」であり、当該家庭用メディアプレーヤデバイスのユーザのアカウント番号は「ｘｉａｏｍｉｙｏｎｇｈｕ」であり、ウェアラブルデバイスＩＤは「ＺＮＳＨ IＤ ５８４７」である。ウェアラブルデバイス１２０は、家庭用メディアプレーヤデバイス１４０を用いて、自デバイスのデバイスＩＤである「ＺＮＳＨ IＤ ５８４７」をサーバ１６０に送信することができる。実現可能な一形態において、ウェアラブルデバイス１２０によりまず自デバイスのデバイスＩＤである「ＺＮＳＨ IＤ ５８４７」を家庭用メディアプレーヤデバイス１４０に送信して、家庭用メディアプレーヤデバイス１４０によりウェアラブルデバイスＩＤである「ＺＮＳＨ IＤ ５８４７」をサーバ１６０に送信する。ウェアラブルデバイス１２０により家庭用メディアプレーヤデバイス１４０を用いてサーバ１６０にウェアラブルデバイスＩＤを送信する同時に、家庭用メディアプレーヤデバイス１４０により自デバイスのデバイスＩＤである「ＺＮＤＳ」、及び自デバイスに既にログインしたユーザのアカウント番号である「ｘｉａｏｍｉｙｏｎｇｈｕ」をサーバ１６０に送信することにより、サーバ１６０は、ウェアラブルデバイスＩＤ、家庭用メディアプレーヤデバイスＩＤ、及び家庭用メディアプレーヤデバイスのユーザのアカウント番号を受信した際に、当該ウェアラブルデバイス１２０、家庭用メディアプレーヤデバイス１４０、及びユーザのアカウント番号である「ｘｉａｏｍｉｙｏｎｇｈｕ」に対して、バインディングを行う。ここで、サーバ１６０は、当該三つの情報を家庭用メディアプレーヤデバイス１４０のディスプレイに表示させて、ユーザが照会するようにして、ユーザの操作に基づいてバインディングを行ってもよい。図４Ｆに示されたように、サーバ１６０は、ユーザにより家庭用メディアプレーヤデバイス１４０のスクリーンにおける「はい」を選択した際に、当該ウェアラブルデバイス１２０、家庭用メディアプレーヤデバイス１４０、及びユーザのアカウント番号「ｘｉａｏｍｉｙｏｎｇｈｕ」に対して、バインディングする操作を実行する。
【０１３８】
上記のように、本発明に係る実施例によって提供する健康データ表示方法によると、ウェアラブルデバイスと家庭用メディアプレーヤデバイスとのバインディング関係を予め確立することにより、上記の健康データ表示方法のスムーズな実現を保証した。さらに、ウェアラブルデバイスＩＤ、家庭用メディアプレーヤデバイスＩＤ、及びユーザのアカウント番号をサーバに送信するか、或は、バインディングされた移動端末を利用して、ウェアラブルデバイスＩＤ、家庭用メディアプレーヤデバイスＩＤ、及びユーザのアカウント番号をサーバに送信するか、或は、家庭用メディアプレーヤデバイスを利用して、ウェアラブルデバイスＩＤ、家庭用メディアプレーヤデバイスＩＤ、及びユーザのアカウント番号をサーバに送信して、サーバによりウェアラブルデバイス、家庭用メディアプレーヤデバイス、及びユーザのアカウント番号に対してバインディングを行うことにより、バインディング方法の多様性を保証した。
【０１３９】
以下は、本発明の装置の実施例であり、本発明の方法の実施例を実行することができる。本発明の装置の実施例において記述していない細部内容に対しては、本発明の方法の実施例を参照してください。
【０１４０】
図５を参照すると、一例示的な実施例に係る健康データ表示装置のブロック図を示している。当該健康データ表示装置は、ソフトウェア、ハードウェア、又は両者の組み合わせによって、図１に示された実施環境中のウェアラブルデバイス１２０の一部、又は全部を実現できる。当該装置は、データ収集モジュール５１０、接続確立モジュール５２０、及びデータ送信モジュール５３０を備えてもよい。
【０１４１】
データ収集モジュール５１０は、ユーザの健康データを収集する。
【０１４２】
接続確立モジュール５２０は、家庭用メディアプレーヤデバイスとの無線接続を確立する。
【０１４３】
データ送信モジュール５３０は、接続確立モジュール５２０により確立した無線接続を用いて、当該健康データを受信して表示するための家庭用メディアプレーヤデバイスに、健康データを送信する。
【０１４４】
上記のように、本発明に係る実施例によって提供する健康データ表示装置によると、ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１４５】
図６を参照すると、もう一例示的な実施例に係る健康データ表示装置のブロック図を示している。当該健康データ表示装置は、ソフトウェア、ハードウェア、又は両者の組み合わせによって、図１に示された実施環境中の家庭用メディアプレーヤデバイス１４０の一部、又は全部を実現できる。当該装置は、接続確立モジュール６１０、データ受信モジュール６２０、及びデータ表示モジュール６３０を備えてもよい。
【０１４６】
接続確立モジュール６１０は、ウェアラブルデバイスとの無線接続を確立する。
【０１４７】
データ受信モジュール６２０は、接続確立モジュール６１０により確立した無線接続を用いて、ウェアラブルデバイスが送信したユーザの健康データを受信する。
【０１４８】
データ表示モジュール６３０は、データ受信モジュール６２０が受信した健康データを表示する。
【０１４９】
上記のように、本発明に係る実施例によって提供する健康データ表示装置によると、ウェアラブルデバイスとの無線接続を確立し、当該無線接続を用いてウェアラブルデバイスが送信したユーザの健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１５０】
図７を参照すると、さらにもう一例示的な実施例に係る健康データ表示装置のブロック図を示している。当該健康データ表示装置は、ソフトウェア、ハードウェア、又は両者の組み合わせによって、図１に示された実施環境中のウェアラブルデバイス１２０の一部、又は全部を実現できる。当該装置は、データ収集モジュール７１０、接続確立モジュール７２０、及びデータ送信モジュール７３０を備えてもよい。
【０１５１】
データ収集モジュール７１０は、ユーザの健康データを収集する。
【０１５２】
接続確立モジュール７２０は、家庭用メディアプレーヤデバイスとの無線接続を確立する。
【０１５３】
データ送信モジュール７３０は、接続確立モジュール７２０により確立した無線接続を用いて、当該健康データを受信して表示するための家庭用メディアプレーヤデバイスに、健康データを送信する。
【０１５４】
一実施例において、当該接続確立モジュール７２０は、
当該家庭用メディアプレーヤデバイスとの無線接続をダイレクトに確立するためのダイレクト確立ユニット７２１、
或は、
バインディングされた移動端末を利用して、当該家庭用メディアプレーヤデバイスとの無線接続を確立するためのバインディング確立ユニット７２２
を備える。
【０１５５】
一実施例において、当該装置は、
起動トリガ条件を満たすか否かを検出するための第１検出モジュール７４０と、
第１検出モジュール７４０により起動トリガ条件を満たすことが検出された場合、当該起動命令が受信された後に運行状態に入る家庭用メディアプレーヤデバイスに、起動命令を送信するための第１送信モジュール７５０と
を、さらに備え、
ここで、当該起動トリガ条件は、第１指定タイミングに達したこと、収集された身体ジェスチャーが第１ジェスチャーに合致すること、或は、ウェアラブルデバイスと家庭用メディアプレーヤデバイスとの間の距離が所定の距離未満であることを含む。
【０１５６】
一実施例において、当該装置は、
シャットダウントリガ条件を満たすか否かを検出するための第２検出モジュール７６０と、
第２検出モジュール７６０によりシャットダウントリガ条件を満たすことが検出された場合、当該シャットダウン命令が受信された後に休止状態、或は、シャットダウン状態に入る家庭用メディアプレーヤデバイスに、シャットダウン命令を送信するための第２送信モジュール７７０と、
を、さらに備え、
ここで、当該シャットダウントリガ条件は、第２指定タイミングに達したこと、収集された身体ジェスチャーが第２ジェスチャーに合致すること、或は、ウェアラブルデバイスと家庭用メディアプレーヤデバイスとの間の距離が所定の距離以上であることを含む。
【０１５７】
一実施例において、当該装置は、
家庭用メディアプレーヤデバイスとのバインディング関係を予め確立するためのバインディング関係確立モジュール７８０をさらに備える。
【０１５８】
一実施例において、
当該バインディング関係確立モジュール７８０は、
ウェアラブルデバイスＩＤとユーザのアカウント番号とを、当該ウェアラブルデバイスＩＤに基づいて、当該ウェアラブルデバイス、当該ユーザのアカウント番号、及び与当該ユーザのアカウント番号に対応する家庭用メディアプレーヤデバイスに対して、バインディング関係を確立するためのサーバに、送信するか、
或は、
バインディングされた移動端末を利用して、ウェアラブルデバイスＩＤとユーザのアカウント番号とを、当該ウェアラブルデバイスＩＤに基づいて、当該ウェアラブルデバイス、当該ユーザのアカウント番号、及び与当該ユーザのアカウント番号に対応する家庭用メディアプレーヤデバイスに対して、バインディング関係を確立するためのサーバに、送信するか、
或は、
当該家庭用メディアプレーヤデバイスを利用して、ウェアラブルデバイスＩＤとユーザのアカウント番号とを、当該ウェアラブルデバイスＩＤに基づいて、当該ウェアラブルデバイス、当該ユーザのアカウント番号、及び与当該ユーザのアカウント番号に対応する家庭用メディアプレーヤデバイスに対して、バインディング関係を確立するためのサーバに、送信する。
【０１５９】
上記のように、本発明に係る実施例によって提供する健康データ表示装置によると、ユーザの健康データを収集し、家庭用メディアプレーヤデバイスとの無線接続を確立し、当該無線接続を用いて家庭用メディアプレーヤデバイスに健康データを送信し、家庭用メディアプレーヤデバイスにより当該健康データを表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１６０】
本発明に係る実施例によって提供する健康データ表示装置によると、家庭用メディアプレーヤデバイスとの無線接続をダイレクトに確立するか、或は、バインディングされた移動端末を利用して、家庭用メディアプレーヤデバイスとの無線接続を確立することにより、無線接続を確立する方法を豊富化した。
【０１６１】
本発明に係る実施例によって提供する健康データ表示装置によると、起動トリガ条件を満たすことが検出された際に、家庭用メディアプレーヤデバイスに起動命令を送信して、家庭用メディアプレーヤデバイスが、当該起動命令を基づいて運行状態に入るようにし、さらにウェアラブルデバイスが送信した健康データを受信するようにする。このようにすることにより、家庭用メディアプレーヤデバイスが健康データを正確に受信することを保証した。さらに、シャットダウントリガ条件を満たすことが検出された際に、家庭用メディアプレーヤデバイスにシャットダウン命令を送信して、家庭用メディアプレーヤデバイスが、当該シャットダウン命令に従って休止状態、或は、シャットダウン状態に入るようにする。このようにすることにより、ユーザの健康データの安全性を保証した。
【０１６２】
本発明に係る実施例によって提供する健康データ表示装置によると、第１指定タイミングに達したことが検出された場合、収集された身体ジェスチャーが第１ジェスチャーに合致することが検出された場合、或は、ウェアラブルデバイスと家庭用メディアプレーヤデバイスとの間の距離が所定の距離未満であることが検出された場合に、家庭用メディアプレーヤデバイスに起動命令を送信し、逆に、第２指定タイミングに達したことが検出された場合、収集された身体ジェスチャーが第２ジェスチャーに合致することが検出された場合、或は、ウェアラブルデバイスと家庭用メディアプレーヤデバイスとの間の距離が所定の距離以上であることが検出された場合に、家庭用メディアプレーヤデバイスにシャットダウン命令を送信する。このようにすることにより、トリガ起動条件のトリガ方法、及びシャットダウン条件のトリガ方法を豊富化した。
【０１６３】
本発明に係る実施例によって提供する健康データ表示装置によると、家庭用メディアプレーヤデバイスとのバインディング関係を予め確立することにより、上記の健康データ表示方法のスムーズな実現を保証した。さらに、ウェアラブルデバイスＩＤ、家庭用メディアプレーヤデバイスＩＤ、及びユーザのアカウント番号をサーバに送信するか、或は、バインディングされた移動端末を利用して、ウェアラブルデバイスＩＤ、家庭用メディアプレーヤデバイスＩＤ、及びユーザのアカウント番号をサーバに送信するか、或は、家庭用メディアプレーヤデバイスを利用して、ウェアラブルデバイスＩＤ、家庭用メディアプレーヤデバイスＩＤ、及びユーザのアカウント番号をサーバに送信して、サーバによりウェアラブルデバイス、家庭用メディアプレーヤデバイス、及びユーザのアカウント番号に対してバインディングを行うことにより、バインディング方法の多様性を保証した。
【０１６４】
図８を参照すると、さらに別の一例示的な実施例に係る健康データ表示装置のブロック図を示している。当該健康データ表示装置は、ソフトウェア、ハードウェア、又は両者の組み合わせによって、図１に示された実施環境中の家庭用メディアプレーヤデバイス１４０の一部、又は全部を実現できる。当該文件実行装置は、接続確立モジュール８１０、データ受信モジュール８２０、及びデータ表示モジュール８３０を備えてもよい。
【０１６５】
接続確立モジュール８１０は、ウェアラブルデバイスとの無線接続を確立する。
【０１６６】
データ受信モジュール８２０は、接続確立モジュール８１０により確立した無線接続を用いて、ウェアラブルデバイスが送信したユーザの健康データを受信する。
【０１６７】
データ表示モジュール８３０は、データ受信モジュール８２０により受信した健康データを表示する。
【０１６８】
一実施例において、当該接続確立モジュール８１０は、
当該ウェアラブルデバイスとの無線接続をダイレクトに確立するためのダイレクト確立ユニット８１１、
或は、
当該ウェアラブルデバイスとバインディングされた移動端末を利用して、当該ウェアラブルデバイスとの無線接続を確立するためのバインディング確立ユニット８１２
を備える。
【０１６９】
一実施例において、当該装置は、
当該ウェアラブルデバイスが送信した起動命令を受信するための第１受信モジュール８４０と、
第１受信モジュール８４０により受信した起動命令に従って運行状態に入るための第１進入モジュール８５０と
を、さらに備える。
【０１７０】
一実施例において、当該装置は、
当該ウェアラブルデバイスが送信したシャットダウン命令を受信するための第２受信モジュール８６０と、
第２受信モジュール８６０により受信したシャットダウン命令に従って、休止状態、或は、シャットダウン状態に入る第２進入モジュール８７０と
を、さらに含む。
【０１７１】
一実施例において、当該データ表示モジュール８３０は、
サーバに健康データをアップロードし、当該サーバから過去の健康データを取得するためのアップロード取得ユニット８３１と、
アップロード取得ユニット８３１により取得した過去の健康データとデータ受信モジュール８２０により受信した健康データとを、統合して表示するための統合表示ユニット８３２と
を備える。
【０１７２】
一実施例において、当該装置は、
ウェアラブルデバイスとのバインディング関係が確立されているか否かを検出して、ウェアラブルデバイスとのバインディング関係が確立されている場合には、接続確立モジュール８１０をトリガしてウェアラブルデバイスとの無線接続を確立するようにするためのバインディング関係検出モジュール８８０を、さらに備える。
【０１７３】
一実施例において、当該装置は、
ウェアラブルデバイスとの当該バインディング関係を予め確立するためのバインディング関係確立モジュール８９０を、さらに備える。
【０１７４】
一実施例において、
当該バインディング関係確立モジュール８９０は、家庭用メディアプレーヤデバイスＩＤとユーザのアカウント番号とを、当該家庭用メディアプレーヤデバイスＩＤに基づいて、当該家庭用メディアプレーヤデバイス、当該ユーザのアカウント番号、及び当該ユーザのアカウント番号に対応するウェアラブルデバイスに対して、バインディング関係を確立するためのサーバに、送信する
【０１７５】
上記のように、本発明に係る実施例によって提供する健康データ表示装置によると、ウェアラブルデバイスとの無線接続を確立し、当該無線接続を用いてウェアラブルデバイスが送信したユーザの健康データを受信して表示する。このようにすることにより、関連技術でのデータ回線を利用してウェアラブルデバイスとコンピュータとを接続した後にのみ、ウェアラブルデバイス中の健康データを表示できるため、操作過程が煩雑で利用効率がより低い問題を解決して、ユーザ操作を簡素化でき、利用効率も改善できる。
【０１７６】
本発明に係る実施例によって提供する健康データ表示装置によると、ウェアラブルデバイスとの無線接続をダイレクトに確立するか、或は、ウェアラブルデバイスにバインディングされた移動端末を利用して、ウェアラブルデバイスとの無線接続を確立することにより、無線接続を確立する方法を豊富化した。
【０１７７】
本発明に係る実施例によって提供する健康データ表示装置によると、ウェアラブルデバイスが送信した起動命令を受信し、当該起動命令に従って運行状態に入って、ウェアラブルデバイスが送信した健康データを受信する。このようにすることにより、健康データを正確に受信することを保証した。さらに、ウェアラブルデバイスが送信したシャットダウン命令を受信し、当該シャットダウン命令に従って休止状態、或は、シャットダウン状態に入ることにより、ユーザ健康データの安全性を保証した。
【０１７８】
本発明に係る実施例によって提供する健康データ表示装置によると、健康データが受信された際に、当該健康データをサーバにアップロードし、サーバから過去の健康データを取得して、当該健康データと過去の健康データを統合して表示する。このようにすることにより、ユーザが、もっと明確に自分の健康状況を了解するようにした上で、サーバに保存したユーザの健康データの完全性を保証した。
【０１７９】
本発明に係る実施例によって提供する健康データ表示装置によると、ウェアラブルデバイスとのバインディング関係を予め確立することにより、上記の健康データ表示方法のスムーズな実現を保証した。
【０１８０】
上記の実施例の装置について、その各モジュールが実行する操作の具体的な形態は既に当該方法に関する実施例において詳細に説明したため、ここでは詳細に説明しない。
【０１８１】
図９は、一例示的な実施例に係る健康データを表示するための装置９００のブロック図である。例えば、装置９００は、スマートテレビ、プロジェクター、液晶モニター、コンピュータ、等のような家庭用メディアプレーヤデバイスであってもよい。
【０１８２】
図９を参照して、装置９００は、プロセスアセンブリ９０２、メモリ９０４、電源アセンブリ９０６、マルチメディアアセンブリ９０８、オーディオアセンブリ９１０、入出力（Ｉ／ O）インターフェイス９１２、センサアセンブリ９１４、及び通信アセンブリ９１６のような一つ以上のアセンブリを含んでよい。
【０１８３】
プロセスアセンブリ９０２は、一般的には装置９００の全体の操作を制御するものであり、例えば、表示、電話呼び出し、データ通信、カメラ操作、及び記録操作と関連する操作を制御する。プロセスアセンブリ９０２は、一つ以上のプロセッサ９２０を含み、これらによって命令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１８４】
メモリ９０４は、各種類のデータを記憶することにより装置９００の操作を支援するように構成される。これらのデータの例は、装置９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１８５】
電源アセンブリ９０６は、装置９００の多様なアセンブリに電力を供給する。電源アセンブリ９０６は、電源管理システム、一つ以上の電源、及び装置９００のための電力の生成、管理及び割り当てに関連する他のアセンブリを含んでもよい。
【０１８６】
マルチメディアアセンブリ９０８は、前記装置９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ９０８は、一つのフロントカメラ、及び／又はリアカメラを含む。装置９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１８７】
オーディオアセンブリ９１０は、オーディオ信号を入出力するように構成されてもよい。例えば、オーディオアセンブリ９１０は、一つのマイク（ＭＩＣ）を含み、装置９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１８８】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１８９】
センサアセンブリ９１４は、装置９００に各方面の状態に対する評価を提供するための一つ以上のセンサを含む。例えば、センサアセンブリ９１４は、装置９００のＯＮ／ＯＦＦ状態、装置９００のディスプレイとキーパッドのようなアセンブリの相対的な位置決めを検出できる。また、例えば、センサアセンブリ９１４は、装置９００、或は装置９００の一つのアセンブリの位置変更、ユーザと装置９００とが接触しているか否か、装置９００の方位、又は加速／減速、装置９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１９０】
通信アセンブリ９１６は、装置９００と他の機器の間に有線、又は无線形態の通信を提供する。装置９００は、例えばＷｉＦｉ、２Ｇ、３Ｇ、或はこれらの組み合わせのような、通信規格に基づいた无線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１９１】
例示的な実施例において、装置９００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１９２】
例示的な実施例において、さらに、命令を含むコンピュータ読取り可能な非一時的な記録媒体、例えば命令を含むメモリ９０４を提供しており、装置９００のプロセッサ９２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１９３】
コンピュータ読取り可能な非一時的な記録媒体は、当該記録媒体中の命令が装置９００のプロセッサによって実行される際に、装置９００に上記の健康データ表示方法を実行させることができる。
【０１９４】
図１０は、一例示的な実施例に係る健康データ表示装置１０００のブロック図である。例えば、装置１０００は、スマートブレスレット、スマートウォッチ、等のようなウェアラブルデバイスであってもよい。
【０１９５】
図１０を参照すると、装置１０００は、プロセスアセンブリ１００１、メモリ１００２、無線通信アセンブリ１００３、及びセンサアセンブリ１００４のような一つ以上のアセンブリを含んでよい。
【０１９６】
プロセスアセンブリ１００１は、一般的には装置１０００の全体の操作を制御するものであり、例えば、ユーザの健康データの収集、ユーザの健康データの送信、サーバへの健康データのアップロード、などに関連する操作を制御する。プロセスアセンブリ１００１は、一つ以上のプロセッサ１０１０を含み、これらによって命令を実行することにより、上記の方法の全部、或は一部のステップを実現するようにしてもよい。なお、プロセスアセンブリ１００１は、一つ以上のモジュールを含み、これらによってプロセスアセンブリ１００１と他のアセンブリの間のインタラクションを容易にするようにしてもよい。例えば、プロセスアセンブリ１００１は、無線通信モジュールを含み、これらによって無線通信アセンブリ１００３とプロセスアセンブリ１００１の間のインタラクションを容易にするようにしてもよい。
【０１９７】
メモリ１００２は、各種類のデータを記憶することにより装置１０００の操作を支援するように構成される。これらのデータの例は、装置１０００において操作されるいずれのアプリケーションプログラム又は方法の命令、健康データ、時間データ、位置データ、ジェスチャー等を含む。メモリ１００２は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１９８】
無線通信アセンブリ１００３は、装置１０００と他のデバイスの間の無線形態の通信を提供する。装置１０００は、通信規格に基づいた無線ネットワークに接続されてもよいし、ＷｉＦｉ、ブルートゥース、赤外線を含むが、これらに制限されない。一例示的な実施例において、無線通信アセンブリ１００３は、ウェアラブルデバイスにより収集した健康データを家庭用メディアプレーヤデバイスに送信することにより、家庭用メディアプレーヤデバイスが当該健康データを表示するようにする。一例示的な実施例において、無線通信アセンブリ１００３は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１９９】
センサアセンブリ１００４は、装置１０００に各方面の状態に対する評価を提供し、またユーザの健康データを収集するための一つ以上のセンサを含む。例えば、センサアセンブリ１００４は、装置１０００のＯＮ／ＯＦＦ状態、アセンブリの相対的な位置決めを検出できる。また、センサアセンブリ１００４は、装置１０００、或は装置１０００一つのアセンブリの位置変更、ユーザと装置１０００とが接触しているか否か、装置１０００の方位、又は加速／減速、装置１０００の温度の変化を検出できる。センサアセンブリ１００４は、何れの物理的接触がない状態にて付近の物体の存在を検出するための近接センサを含んでもよい。センサアセンブリ１００４は、ユーザの健康データを収集するための健康データセンサを含んでもよい。センサアセンブリ１００４は、ユーザのジェスチャーを収集するためのジェスチャーセンサを、さらに含んでもよい。いくつかの実施例において、当該センサアセンブリ１００４は、加速度センサ、ジャイロセンサ、磁気センサ、圧力センサ、温度センサ、歩数計、心拍数センサ、電子コンパスセンサなどのセンサを、さらに備えてもよい。
【０２００】
例示的な実施例において、装置１０００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０２０１】
例示的な実施例において、さらに、命令を含むコンピュータ読取り可能な非一時的な記録媒体、例えば命令を含むメモリ１００２を提供しており、装置１０００のプロセッサ１０１０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０２０２】
コンピュータ読取り可能な非一時的な記録媒体は、当該記録媒体中の命令が装置１０００のプロセッサによって実行される際に、装置１０００に上記の健康データ表示方法を実行させることができる。
【０２０３】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０２０４】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【手続補正２】
【補正対象書類名】特許請求の範囲
【補正対象項目名】全文
【補正方法】変更
【補正の内容】
【特許請求の範囲】
【請求項１】
ウェアラブルデバイスに用いられる健康データ表示方法であって、
ユーザの健康データを収集するステップと、
家庭用メディアプレーヤデバイスとの無線接続を確立するステップと、
前記無線接続を用いて、前記健康データを受信して表示するための前記家庭用メディアプレーヤデバイスに、前記健康データを送信するステップと
を含むことを特徴とする健康データ表示方法。
【請求項２】
前記家庭用メディアプレーヤデバイスとの無線接続を確立するステップは、
前記家庭用メディアプレーヤデバイスとの無線接続をダイレクトに確立するステップ、
或は、
バインディングされた移動端末を利用して、前記家庭用メディアプレーヤデバイスとの無線接続を確立するステップ
を含むことを特徴とする請求項１に記載の健康データ表示方法。
【請求項３】
起動トリガ条件を満たすか否かを検出するステップと、
前記起動トリガ条件を満たす場合、起動命令が受信された後に運行状態に入る前記家庭用メディアプレーヤデバイスに、起動命令を送信するステップと
を、さらに含み、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む
ことを特徴とする請求項１に記載の健康データ表示方法。
【請求項４】
シャットダウントリガ条件を満たすか否かを検出するステップと、
前記シャットダウントリガ条件を満たす場合、シャットダウン命令が受信された後に休止状態、或は、シャットダウン状態に入る前記家庭用メディアプレーヤデバイスに、前記シャットダウン命令を送信するステップと
を、さらに含み、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む
ことを特徴とする請求項１に記載の健康データ表示方法。
【請求項５】
前記家庭用メディアプレーヤデバイスとのバインディング関係を予め確立するステップ
をさらに含むことを特徴とする請求項１乃至４のいずれか１項に記載の健康データ表示方法。
【請求項６】
前記家庭用メディアプレーヤデバイスとのバインディング関係を予め確立するステップは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ、
或は、
前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するステップ
を含むことを特徴とする請求項５に記載の健康データ表示方法。
【請求項７】
家庭用メディアプレーヤデバイスに用いられる健康データ表示方法であって、
ウェアラブルデバイスとの無線接続を確立するステップと、
前記無線接続を用いて、前記ウェアラブルデバイスが送信したユーザの健康データを受信するステップと、
前記健康データを表示するステップと
を含むことを特徴とする健康データ表示方法。
【請求項８】
前記ウェアラブルデバイスとの無線接続を確立するステップは、
前記ウェアラブルデバイスとの無線接続をダイレクトに確立するステップ、
或は、
前記ウェアラブルデバイスとバインディングされた移動端末を利用して、前記ウェアラブルデバイスとの無線接続を確立するステップ
を含むことを特徴とする請求項７に記載の健康データ表示方法。
【請求項９】
前記ウェアラブルデバイスが送信した起動命令を受信するステップと、
前記起動命令に従って運行状態に入るステップと
を、さらに含むことを特徴とする請求項７に記載の健康データ表示方法。
【請求項１０】
前記ウェアラブルデバイスが送信したシャットダウン命令を受信するステップと、
前記シャットダウン命令に従って休止状態、或は、シャットダウン状態に入るステップと
を、さらに含むことを特徴とする請求項７に記載の健康データ表示方法。
【請求項１１】
前記健康データを表示するステップは、
サーバに前記健康データをアップロードし、前記サーバから過去の健康データを取得するステップと、
取得された前記過去の健康データと前記健康データとを統合して表示するステップと
を含むことを特徴とする請求項７乃至１０のいずれか１項に記載の健康データ表示方法。
【請求項１２】
前記ウェアラブルデバイスとバインディング関係が確立されたか否かを検出するステップと、
前記ウェアラブルデバイスとバインディング関係が確立された場合、前記ウェアラブルデバイスとの無線接続を確立するステップを実行するステップと
を、さらに含むことを特徴とする請求項７乃至１０のいずれか１項に記載の健康データ表示方法。
【請求項１３】
前記ウェアラブルデバイスとの前記バインディング関係を予め確立するステップ
を、さらに含むことを特徴とする請求項１２に記載の健康データ表示方法。
【請求項１４】
前記ウェアラブルデバイスとのバインディング関係を予め確立するステップは、
家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信するステップ
を含むことを特徴とする請求項１３に記載の健康データ表示方法。
【請求項１５】
ウェアラブルデバイスに用いられる健康データ表示装置であって、
ユーザの健康データを収集するためのデータ収集モジュールと、
家庭用メディアプレーヤデバイスとの無線接続を確立するための接続確立モジュールと、
前記無線接続を用いて、前記健康データを受信して表示するための前記家庭用メディアプレーヤデバイスに、前記健康データを送信するためのデータ送信モジュールと
を備えることを特徴とする健康データ表示装置。
【請求項１６】
前記接続確立モジュールは、
前記家庭用メディアプレーヤデバイスとの無線接続をダイレクトに確立するためのダイレクト確立ユニット、
或は、
バインディングされた移動端末を利用して、前記家庭用メディアプレーヤデバイスとの無線接続を確立するためのバインディング確立ユニット
を備えることを特徴とする請求項１５に記載の健康データ表示装置。
【請求項１７】
起動トリガ条件を満たすか否かを検出するための第１検出モジュールと、
前記起動トリガ条件を満たす場合、起動命令が受信された後に運行状態に入る前記家庭用メディアプレーヤデバイスに、起動命令を送信するための第１送信モジュールと
を、さらに備え、
前記起動トリガ条件は、第１指定タイミングに達したこと、収集された身体ジェスチャーが第１ジェスチャーに合致すること、或は、前記ウェアラブルデバイスと前記家庭用メディアプレーヤデバイスとの間の距離が所定の距離未満であることを含む
ことを特徴とする請求項１５に記載の健康データ表示装置。
【請求項１８】
シャットダウントリガ条件を満たすか否かを検出するための第２検出モジュールと、
前記シャットダウントリガ条件を満たす場合、前記シャットダウン命令が受信された後に休止状態、或は、シャットダウン状態に入る前記家庭用メディアプレーヤデバイスに、シャットダウン命令を送信するための第２送信モジュールと
を、さらに備え、
前記シャットダウントリガ条件は、第２指定タイミングに達したこと、収集された身体ジェスチャーが第２ジェスチャーに合致すること、或は、前記ウェアラブルデバイスと前記家庭用メディアプレーヤデバイスとの間の距離が所定の距離以上であることを含む
ことを特徴とする請求項１５に記載の健康データ表示装置。
【請求項１９】
前記家庭用メディアプレーヤデバイスとのバインディング関係を予め確立するためのバインディング関係確立モジュール
をさらに備えることを特徴とする請求項１５乃至１８のいずれか１項に記載の健康データ表示装置。
【請求項２０】
前記バインディング関係確立モジュールは、
ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
バインディングされた移動端末を利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信するか、
或は、
前記家庭用メディアプレーヤデバイスを利用して、ウェアラブルデバイスＩＤとユーザのアカウント番号とを、前記ウェアラブルデバイスＩＤに基づいて、前記ウェアラブルデバイス、前記ユーザのアカウント番号、及び前記ユーザのアカウント番号に対応する家庭用メディアプレーヤデバイスに対して、バインディング関係を確立するためのサーバに送信する
ことを特徴とする請求項１９に記載の健康データ表示装置。
【請求項２１】
家庭用メディアプレーヤデバイスに用いられる健康データ表示装置であって、
ウェアラブルデバイスとの無線接続を確立するための接続確立モジュールと、
前記無線接続を用いて、前記ウェアラブルデバイスが送信したユーザの健康データを受信するためのデータ受信モジュールと、
前記健康データを表示するためのデータ表示モジュールと
を備えることを特徴とする健康データ表示装置。
【請求項２２】
前記接続確立モジュールは、
前記ウェアラブルデバイスとの無線接続をダイレクトに確立するためのダイレクト確立ユニット、
或は、
前記ウェアラブルデバイスとバインディングされた移動端末を利用して、前記ウェアラブルデバイスとの無線接続を確立するためのバインディング確立ユニット
を備えることを特徴とする請求項２１に記載の健康データ表示装置。
【請求項２３】
前記ウェアラブルデバイスが送信した起動命令を受信するための第１受信モジュールと、
前記起動命令に従って運行状態に入るための第１進入モジュールと
を、さらに備えることを特徴とする請求項２１に記載の健康データ表示装置。
【請求項２４】
前記ウェアラブルデバイスが送信したシャットダウン命令を受信するための第２受信モジュールと、
前記シャットダウン命令に従って休止状態、或は、シャットダウン状態に入る第２進入モジュールと
を、さらに備えることを特徴とする請求項２１に記載の健康データ表示装置。
【請求項２５】
前記データ表示モジュールは、
サーバに前記健康データをアップロードし、前記サーバから過去の健康データを取得するためのアップロード取得ユニットと、
取得された前記過去の健康データと前記健康データとを統合して表示するための統合表示ユニットと
を備えることを特徴とする請求項２１乃至２４のいずれか１項に記載の健康データ表示装置。
【請求項２６】
前記ウェアラブルデバイスとバインディング関係が確立されたか否かを検出し、前記ウェアラブルデバイスとバインディング関係が確立された場合、前記接続確立モジュールをトリガしてウェアラブルデバイスとの無線接続を確立するためのバインディング関係検出モジュール
をさらに備えることを特徴とする請求項２１乃至２４のいずれか１項に記載の健康データ表示装置。
【請求項２７】
前記ウェアラブルデバイスとの前記バインディング関係を予め確立するためのバインディング関係確立モジュール
を、さらに備えることを特徴とする請求項２６に記載の健康データ表示装置。
【請求項２８】
前記バインディング関係確立モジュールは、家庭用メディアプレーヤデバイスＩＤとユーザのアカウント番号とを、前記家庭用メディアプレーヤデバイスＩＤに基づいて、前記家庭用メディアプレーヤデバイス、前記ユーザのアカウント番号、及び前記ユーザのアカウント番号に対応するウェアラブルデバイスに対して、バインディング関係を確立するためのサーバに送信する
ことを特徴とする請求項２７に記載の健康データ表示装置。
【請求項２９】
プロセッサと、
前記プロセッサが実行可能な命令を記憶するためのメモリと
を備え、
前記プロセッサは、
ユーザの健康データを収集し、
家庭用メディアプレーヤデバイスとの無線接続を確立し、
前記無線接続を用いて、前記健康データを受信して表示するための前記家庭用メディアプレーヤデバイスに、前記健康データを送信する
ように構成されることを特徴とする健康データ表示装置。
【請求項３０】
プロセッサと、
前記プロセッサが実行可能な命令を記憶するためのメモリと
を備え、
前記プロセッサは、
ウェアラブルデバイスとの無線接続を確立し、
前記無線接続を用いて、前記ウェアラブルデバイスが送信したユーザの健康データを受信し、
前記健康データを表示する
ように構成されることを特徴とする健康データ表示装置。
【請求項３１】
プロセッサに実行されることにより、請求項１から請求項１４のいずれかに記載の健康データ表示方法を実現することを特徴とするプログラム。
【請求項３２】
請求項３１に記載のプログラムが記録された記録媒体。
【国際調査報告】
2016533582.tif 000018
2016533582.tif 000019
2016533582.tif 000020
2016533582.tif 000021